(57)【特許請求の範囲】
【請求項１】
内部に溶液を蓄える溶液槽と、
内部に液化溶媒を蓄える溶媒槽と、
溶液槽の上部と溶媒槽の上部を連通し、気化溶媒が内部を通過する気化溶媒流路と、
溶液槽に蓄えられた溶液と熱媒体とを熱交換させ、溶液から溶媒を蒸発させ、溶液槽の内部で溶液と気化溶媒に分離する再生用熱交換器と、
溶媒槽に流入する気化溶媒と熱媒体とを熱交換させ、溶媒槽の内部で気化溶媒を凝縮して液化溶媒とする凝縮用熱交換器と、
溶媒槽に蓄えられた液化溶媒と熱媒体とを熱交換させ、液化溶媒を蒸発させ、溶媒槽の内部で気化溶媒を発生する蒸発用熱交換器と、
溶液槽に蓄えられた溶液と熱媒体とを熱交換させ、溶液槽の内部で溶液に気化溶媒を吸収させる吸収用熱交換器と、
熱媒体を圧縮する圧縮手段と、
熱媒体を膨張する膨張手段と、
熱媒体を大気と熱交換させる大気熱交換器と、
熱媒体を圧縮する他の圧縮手段と、
熱媒体を膨張する他の膨張手段と、
熱媒体を室内空気と熱交換させる空気熱交換器と、
圧縮手段、再生用熱交換器、膨張手段、凝縮用熱交換器を順に経由して圧縮手段へ戻る熱媒体の第１循環路と、
圧縮手段、蒸発用熱交換器、膨張手段、大気熱交換器を順に経由して圧縮手段へ戻る熱媒体の第２循環路と、
熱媒体の流路を第１循環路および第２循環路のいずれかに切換えるとともに、
他の圧縮手段、空気熱交換器、他の膨張手段、再生用熱交換器を順に経由して他の圧縮手段へ戻る熱媒体の第１暖房循環路と、
他の圧縮手段、空気熱交換器、膨張手段、大気熱交換器を順に経由して他の圧縮手段へ戻る熱媒体の第２暖房循環路とのいずれかに切換える切換手段
を備え、熱媒体を第１循環路で循環させる再生運転と、熱媒体を第２循環路で循環させる吸収運転のいずれでも動作可能であるとともに、
吸収運転時に熱媒体を第１暖房循環路で循環させる第１暖房運転と、熱媒体を第２循環路で循環させる第２暖房運転のいずれでも動作可能であるハイブリッドヒートポンプシステム。
【請求項２】
熱媒体との熱交換によって室内の空気を加熱する暖房装置と、
暖房装置、吸収用熱交換器を順に経由して暖房装置へ戻る熱媒体の第３循環路をさらに備え、
吸収運転時に熱媒体を第３循環路でも循環させることを特徴とする、請求項１のハイブリッドヒートポンプシステム。
【請求項３】
熱媒体との熱交換によって水を加熱する給湯用熱交換器と、
給湯用熱交換器、吸収用熱交換器を順に経由して給湯用熱交換器へ戻る熱媒体の第４循環路をさらに備え、
吸収運転時に熱媒体を第４循環路でも循環させることを特徴とする、請求項１のハイブリッドヒートポンプシステム。
【発明の詳細な説明】
【技術分野】
【０００１】
本発明は、ヒートポンプシステムに関する。詳しくは、圧縮式ヒートポンプと吸収式ヒートポンプを併用したハイブリッドヒートポンプシステムに関する。
【背景技術】
【０００２】
従来から、ヒートポンプを利用して冷暖房や給湯を行うシステムが知られている。ヒートポンプとしては種々の様式のものが利用されているが、代表的には圧縮式ヒートポンプが用いられている。
【０００３】
圧縮式ヒートポンプは、作動流体を圧縮する圧縮器と、圧縮された作動流体を冷却する冷却器と、冷却された作動流体を膨張させる膨張器と、膨張した作動流体を加熱する加熱器を備えている。作動流体は圧縮器で圧縮され、冷却器で冷却され、膨張器で膨張して、加熱器で加熱するサイクルを繰返す。
【０００４】
上記の圧縮式ヒートポンプを利用して、例えば加熱器において室内の空気と作動流体を熱交換させ、冷却器において室外の空気と作動流体を熱交換させることで、室内を冷房することができる。この場合、膨張器で膨張した作動流体は室内の空気より低温となっており、室内の空気との熱交換によって作動流体は加熱される。また圧縮器で圧縮された作動流体は室外の空気より高温となっており、室外の空気との熱交換によって作動流体は冷却される。
【０００５】
また上記とは異なり、冷却器において室内の空気と作動流体を熱交換させ、加熱器において室外の空気と作動流体を熱交換させることで、室内を暖房することができる。この場合、膨張器で膨張した作動流体は室外の空気より低温となっており、室外の空気との熱交換によって作動流体は加熱される。また圧縮器で圧縮された作動流体は室外の空気より高温となっており、室外の空気との熱交換によって作動流体は冷却される。
【０００６】
上記した圧縮式ヒートポンプは、作動流体として適切なものを利用して、冷却器において作動流体が凝縮して凝縮熱を放出し、加熱器において作動流体が蒸発して蒸発熱を吸収するような構成とすることで、作動流体の潜熱を利用した熱移動を実現することが可能となり、室外の空気からの温度差が大きい冷暖房を実現することができる。
【０００７】
上記した圧縮式ヒートポンプは、高いＣＯＰ（Coefficient  of  Performance）を実現することができる。しかしながら、室外の空気からの温度差がより大きな冷暖房を実現しようとすると、それだけ作動流体を高い圧力まで圧縮器で圧縮する必要がある。作動流体を高い圧力まで圧縮すると、圧縮器におけるエネルギーが増大し、圧縮式ヒートポンプのＣＯＰは低下してしまう。また、高い圧力に耐える圧縮器は大型で高価であり、家庭等で利用するうえで好ましいものではない。
【０００８】
圧縮式ヒートポンプのＣＯＰを低減させることなく、高温の暖房や低温の冷房を行うために、圧縮式ヒートポンプと吸収式ヒートポンプを併用する技術が開発されている。
【０００９】
吸収式ヒートポンプは、溶媒で希釈された溶液を加熱して溶媒を蒸発し気化溶媒と濃縮溶液に分離する再生器と、分離された気化溶媒を凝縮する凝縮器と、凝縮された液化溶媒を蒸発させる蒸発器と、蒸発した気化溶媒を濃縮溶液に吸収させて溶液を希釈する吸収器を備えている。溶媒は、蒸発器で蒸発し、吸収器で濃縮溶液に吸収され、再生器で溶液から蒸発して分離され、凝縮器で凝縮されるサイクルを繰返す。溶液は、吸収器で溶媒を吸収して希釈化され、再生器で溶媒が蒸発して濃縮されるサイクルを繰返す。
【００１０】
吸収式ヒートポンプの蒸発器では、液化溶媒が蒸発して気化溶媒となる際に蒸発熱を吸収する。このため、蒸発器に水等の作動流体を循環させることで、作動流体を冷却することができる。冷却された作動流体を利用すると冷房装置で冷房することが可能となる。
【００１１】
吸収式ヒートポンプの吸収器では、濃縮溶液が気化溶媒を吸収する際に吸収熱を放出する。このため、吸収器に水等の作動流体を循環させることで、作動流体を加熱することができる。加熱された作動流体を利用すると暖房装置で暖房することが可能となる。
【００１２】
吸収式ヒートポンプの凝縮器では、気化溶媒が凝縮して液化溶媒となる際に凝縮熱を放出する。このため、凝縮器に水等の作動流体を循環させることで、作動流体を加熱することができる。加熱された作動流体を利用すると暖房装置で暖房することが可能となる。
【００１３】
上記した吸収式ヒートポンプにおける蒸発器での作動流体の冷却や、凝縮器や吸収器での作動流体の加熱を、圧縮器ヒートポンプにおける冷却器や加熱器の熱源に利用することによって、圧縮式ヒートポンプと吸収式ヒートポンプを併用したシステムを実現することができる。
【００１４】
吸収式ヒートポンプでは、蒸発器において液化溶媒を低温で蒸発させ、吸収器において溶液に気化溶媒を吸収させて高温の溶液を得ることができる。従って、圧縮式ヒートポンプによって液化溶媒を加熱して蒸発させ、気化溶媒を溶液に吸収させて、高温となった溶液を暖房や給湯に利用することで、圧縮式ヒートポンプに大きな負荷をかけることなく、室外からの温度差が大きな暖房を実現することができる。また、圧縮式ヒートポンプによって気化溶媒を吸収した溶液を冷却し、液化溶媒の蒸発を利用して作動流体を冷却することで、圧縮式ヒートポンプに大きな負荷をかけることなく、室外からの温度差が大きな冷房を実現することができる。
【００１５】
上記のように圧縮式ヒートポンプと吸収式ヒートポンプを併用したハイブリッドヒートポンプシステムは、例えば特許文献１に記載されている。このようなハイブリッドヒートポンプシステムによれば、圧縮器にかかる負荷を低いものとし、高いＣＯＰを実現し、かつ室外の空気からの温度差が大きな冷暖房を実現することができる。
【特許文献１】特開平６−３２３６８６号公報
【発明の開示】
【発明が解決しようとする課題】
【００１６】
特許文献１の技術のように、一般に吸収式ヒートポンプでは、溶媒の再生、凝縮、蒸発および吸収を一連のサイクルとして同時に進行させる。従って、一般の吸収式ヒートポンプでは、再生器、凝縮器、蒸発器および吸収器を、それぞれ別個の装置として備えている。一般に再生器、凝縮器、蒸発器および吸収器は、作動流体の温度領域を冷暖房や給湯に適したものとするために、内部が減圧された容器を用いて、その容器の内部で溶媒の再生や凝縮、蒸発、吸収を行う。
【００１７】
このような構成は、上記した一連のサイクルを同時に進行させる場合には必須の構成である。しかしながら、これらの構成を全て備えるシステムは大型であり、家庭用や小規模の店舗などでの利用には適していない。
【００１８】
この点に関して、特許文献１の技術では、再生器と凝縮器を同じ減圧容器内に形成して気化溶媒がその容器内で再生器から凝縮器へ移動する構成とし、蒸発器と吸収器を同じ減圧容器内に形成して気化溶媒がその容器内で蒸発器から吸収器へ移動する構成として、吸収式ヒートポンプの構成要素を共通化して、装置構成の簡素化をはかっている。
しかしながら、特許文献１の技術では、溶液を蓄えるタンク、そのタンクと再生器を連通する溶液用の配管、そのタンクと吸収器を連通する溶液用の配管、液化溶媒を蓄えるタンク、そのタンクと凝縮器を連通する液化溶媒用の配管、そのタンクと蒸発器を連通する液化溶媒用の配管などを必要としており、装置構成の簡素化に関していまだ改善の余地を残している。より簡素な構成で実現される、小型のシステムが待望されている。
【００１９】
本発明は上記課題を解決する。本発明は、圧縮式ヒートポンプと吸収式ヒートポンプを併用したシステムにおいて、吸収式ヒートポンプの一部の構成要素を共通化して、簡素で小型なシステムを提供する。
【課題を解決するための手段】
【００２０】
本発明はハイブリッドヒートポンプシステムとして具現化される。本発明のハイブリッドヒートポンプシステムは、内部に溶液を蓄える溶液槽と、内部に液化溶媒を蓄える溶媒槽と、溶液槽の上部と溶媒槽の上部を連通し、気化溶媒が内部を通過する気化溶媒流路と、溶液槽に蓄えられた溶液と熱媒体とを熱交換させ、溶液から溶媒を蒸発させ、溶液槽の内部で溶液と気化溶媒に分離する再生用熱交換器と、溶媒槽に流入する気化溶媒と熱媒体とを熱交換させ、溶媒槽の内部で気化溶媒を凝縮して液化溶媒とする凝縮用熱交換器と、溶媒槽に蓄えられた液化溶媒と熱媒体とを熱交換させ、液化溶媒を蒸発させ、溶媒槽の内部で気化溶媒を発生する蒸発用熱交換器と、溶液槽に蓄えられた溶液と熱媒体とを熱交換させ、溶液槽の内部で溶液に気化溶媒を吸収させる吸収用熱交換器と、熱媒体を圧縮する圧縮手段と、熱媒体を膨張する膨張手段と、熱媒体を大気と熱交換させる大気熱交換器と、熱媒体を圧縮する他の圧縮手段と、熱媒体を膨張する他の膨張手段と、熱媒体を室内空気と熱交換させる空気熱交換器とを備えている。また、ハイブリッドヒートポンプシステムは、圧縮手段、再生用熱交換器、膨張手段、凝縮用熱交換器を順に経由して圧縮手段へ戻る熱媒体の第１循環路と、圧縮手段、蒸発用熱交換器、膨張手段、大気熱交換器を順に経由して圧縮手段へ戻る熱媒体の第２循環路と、熱媒体の流路を第１循環路および第２循環路のいずれかに切換えるとともに、他の圧縮手段、空気熱交換器、他の膨張手段、再生用熱交換器を順に経由して他の圧縮手段へ戻る熱媒体の第１暖房循環路と、他の圧縮手段、空気熱交換器、膨張手段、大気熱交換器を順に経由して他の圧縮手段へ戻る熱媒体の第２暖房循環路とのいずれかに切換える切換手段を備えている。そのハイブリッドヒートポンプシステムは、熱媒体を第１循環路で循環させる再生運転と、熱媒体を第２循環路で循環させる吸収運転のいずれでも動作可能であるとともに、吸収運転時に熱媒体を第１暖房循環路で循環させる第１暖房運転と、熱媒体を第２循環路で循環させる第２暖房運転のいずれでも動作可能である。
【００２１】
上記のシステムの再生運転について説明する。再生運転においては、圧縮手段で圧縮されて高温となった熱媒体を再生用熱交換器へ流入させ、溶液槽の内部の溶液と熱交換させる。再生用熱交換器での熱交換によって、溶液は加熱されて、熱媒体は冷却される。加熱された溶液から溶媒が蒸発し、溶液槽の内部に濃縮された溶液と気化溶媒が発生する。冷却された熱媒体は膨張手段で膨張し、低温となって凝縮用熱交換器へ流入する。溶液槽の内部で発生した気化溶媒は、気化溶媒流路を経由して、溶媒層の内部へ流入する。溶媒層の内部へ流入した気化溶媒は、凝縮用熱交換器で熱媒体と熱交換する。凝縮用熱交換器での熱交換によって、熱媒体は加熱され、気化溶媒は冷却されて凝縮する。凝縮用熱交換器で加熱された熱媒体は圧縮手段へ還流し、再び圧縮される。凝縮用熱交換器で気化溶媒から凝縮した液化溶媒は、溶媒槽の内部に蓄えられていく。また溶液槽の内部の濃縮された溶液は、溶液槽の内部に蓄えられている溶液と混合する。これによって、溶液槽の内部の溶液は濃縮されていき、溶媒層の内部には液化溶媒が蓄えられていく。
【００２２】
上記のシステムの吸収運転について説明する。吸収運転においては、圧縮手段で圧縮されて高温となった熱媒体を蒸発用熱交換器へ流入させ、溶媒槽の内部の液化溶媒と熱交換させる。蒸発用熱交換器での熱交換によって、液化溶媒は加熱されて、熱媒体は冷却される。加熱された液化溶媒は蒸発して気化溶媒となり、気化溶媒流路を経由して溶液槽へ流入する。冷却された熱媒体は膨張手段で膨張し、低温となって大気熱交換器へ流入する。大気熱交換器で大気と熱交換して、熱媒体は加熱される。加熱された熱媒体は圧縮手段へ還流し、再び圧縮される。溶液槽へ流入した気化溶媒は、溶液槽の溶液に吸収され、溶液を希釈する。気化溶媒を吸収する際の吸収熱によって高温となった溶液は、吸収用熱交換器で熱媒体と熱交換して冷却され、溶液槽の内部に蓄えられている溶液と混合する。これによって、溶液槽の内部の溶液は希釈されていき、溶媒層の内部の液化溶媒は減少していく。
この吸収運転において、吸収用熱交換器で加熱される熱媒体を、暖房や給湯に用いる高温の熱源として利用することができる。
【００２３】
上記のシステムは、必要に応じて再生運転と吸収運転を切換えることができる。例えば給湯や暖房を行わない期間において、再生運転を行う。これによって、溶液槽の溶液が濃縮されていき、溶媒槽に液化溶媒が蓄えられていく。その後、冷暖房や暖房を行う際には、吸収運転を行う。これによって、吸収用熱交換器で加熱された熱媒体を高温の熱源として暖房や給湯を行うことができる。吸収運転を行っている間、溶媒槽の液化溶媒は減少していき、溶液槽の溶媒は希釈されていく。
【００２４】
上記のシステムにおいては、溶媒の再生、凝縮、蒸発および吸収といった吸収式ヒートポンプの一連のサイクルを同時に進行させずに、再生運転において溶媒の再生と凝縮を進行させ、吸収運転において溶媒の蒸発と吸収を進行させる。このように再生運転と吸収運転を別々に行うため、溶媒の再生と吸収を同時に進行させる必要がなく、再生器と吸収器を同一の溶液槽の内部に形成しておくことができる。また、溶媒の凝縮と蒸発を同時に進行させる必要がなく、蒸発器と吸収器を同一の溶媒槽の内部に形成しておくことができる。
【００２５】
このような構成とすることによって、従来は必要とされていた溶液を蓄えるタンク、そのタンクと再生器を連通する溶液用の配管、そのタンクと吸収器を連通する溶液用の配管、液化溶媒を蓄えるタンク、そのタンクと凝縮器を連通する液化溶媒用の配管、そのタンクと蒸発器を連通する液化溶媒用の配管などが不要となる。これによって、吸収式ヒートポンプの装置構成を簡素化することができ、システムの小型化を実現することができる。
また、上記のシステムにおいては、第１暖房運転と第２暖房運転とを動作可能である。したがって、大気熱交換器で大気から吸収した熱を利用して溶媒槽の液化溶媒を蒸発させ、溶液槽で発生する吸収熱を利用することによって高いＣＯＰで室内を暖房する第１暖房運転を行うことができるとともに、溶媒槽の内部の溶媒を使い切ってしまった後も、引き続き第２暖房運転によって室内暖房を行うことができる。
【００２６】
上記のシステムは、例えば暖房の熱源として利用することができる。上記システムは、熱媒体との熱交換によって室内の空気を加熱する暖房装置と、暖房装置、吸収用熱交換器を順に経由して暖房装置へ戻る熱媒体の第３循環路をさらに備え、吸収運転時に熱媒体を第３循環路でも循環させることで、暖房装置による暖房を行うことができる。
【００２７】
上記のシステムによれば、吸収運転において吸収用熱交換器で発生する熱を利用して、暖房装置で高温の暖房を行うことができる。この場合、圧縮式ヒートポンプのみを利用する場合に比べて、高いＣＯＰを実現することができる。
【００２８】
あるいは上記のシステムは、例えば給湯の熱源として利用することもできる。上記システムは、熱媒体との熱交換によって水を加熱する給湯用熱交換器と、給湯用熱交換器、吸収用熱交換器を順に経由して給湯用熱交換器へ戻る熱媒体の第４循環路をさらに備え、吸収運転時に熱媒体を第４循環路でも循環させることで、給湯用熱交換器を用いた給湯を行うことができる。
【００２９】
上記のシステムによれば、吸収運転において吸収器で発生する熱を利用して、高温の給湯を行うことができる。この場合も、圧縮式ヒートポンプのみを利用する場合に比べて、高いＣＯＰを実現することができる。
【００３０】
再生運転の際に利用される圧縮手段は、種々のコンプレッサを利用可能であるが、例えばガスエンジン駆動型のコンプレッサであってもよい。ガスエンジン駆動型のコンプレッサを利用することで、電力に比べてコストの安いガスを利用して再生運転を行うことが可能であり、システムのランニングコストを抑制することができる。
【００３１】
あるいは再生運転の際に利用される圧縮手段としては、電気モータ駆動型のコンプレッサであってもよい。この場合、比較的廉価である夜間電力を利用して再生運転を行う構成とすることで、システムのランニングコストを抑制することができる。
【発明の効果】
【００３２】
本発明のハイブリッドヒートポンプシステムによれば、圧縮式ヒートポンプと吸収式ヒートポンプを併用したシステムであって、吸収式ヒートポンプの一部の構成要素を共通化して、簡素で小型なシステムを実現することができる。
【発明を実施するための最良の形態】
【００３３】
以下に説明する実施例の主要な特徴を最初に列記する。
（形態１）  圧縮手段、暖房装置、膨張弁、大気熱交換器を順に経由して圧縮手段へ戻る第５循環路をさらに備え、熱媒体を第５循環路で循環させる暖房運転でも動作可能である。
【実施例】
【００３４】
（第１実施例）
本発明を具現化したシステム１０００を、図面を参照しながら詳細に説明する。
図１は本実施例のシステム１０００の構成を示している。システム１０００は、吸収式ヒートポンプ１００２と、第１圧縮式ヒートポンプ１００４と、第２圧縮式ヒートポンプ１００６と、空調装置１００８と、床暖房装置１０１０と、貯湯槽１０１２と、補助加熱装置１０１４を備えている。
【００３５】
吸収式ヒートポンプ１００２は、臭化リチウム水溶液などのリチウム塩溶液を作動流体とする。吸収式ヒートポンプ１００２は、溶液を内部に蓄える溶液槽１０１６と、溶媒を内部に蓄える溶媒槽１０１８を備える。溶液槽１０１６、溶媒槽１０１８は、ともに内部の気圧を減圧された容器であって、溶液槽１０１６の頂部と溶媒槽１０１８の頂部は、気化溶媒流路１０２０を介して連通している。気化溶媒流路１０２０には開閉弁１０２２が設けられている。開閉弁１０２２はコントローラ１３００と通信可能であり、コントローラ１３００からの指示によって気化溶媒流路１０２０を開閉する。
【００３６】
溶液槽１０１６の内部には、吸収用熱交換器１０３６が設けられている。溶液槽１０１６の底部は、第１溶液流路１０２４を経由して再生用熱交換器１０２６内の溶液管１０２８の一端へ連通している。再生用熱交換器１０２６は溶液管１０２８と冷媒管１０３０を備えており、溶液管１０２８の内部を流れる溶液と、冷媒管１０３０の内部を流れる第１熱媒体との間で熱交換を行う。溶液管１０２８の他端には第２溶液流路１０３２の一端が接続している。第２溶液流路１０３２の他端は、溶液槽１０１６の内部において吸収用熱交換器１０３６よりも上方で開放している。第１溶液流路１０２４にはポンプ１０３４が設けられている。ポンプ１０３４はコントローラ１３００と通信可能であり、コントローラ１３００からの指示によって駆動する。ポンプ１０３４が駆動すると、溶液槽１０１６の底部から吸出された溶液は、第１溶液流路１０２４を経由して再生用熱交換器１０２６の溶液管１０２８へ流入し、溶液管１０２８から流出した溶液は第２溶液流路１０３２を経由して溶液槽１０１６の内部へ流入し、上方から吸収用熱交換器１０３６へ散布される。吸収用熱交換器１０３６は内部に水などの冷媒（以下では第２熱媒体と呼ぶ）が流れる伝熱管であって、内部を流れる第２熱媒体と、外側表面に散布される溶液との間で熱交換を行う。
【００３７】
溶媒槽１０１８の内部には、凝縮用熱交換器１０３８と蒸発用熱交換器１０４０が設けられている。凝縮用熱交換器１０３８は溶媒槽１０１８の内部において上方の位置に配置されており、蒸発用熱交換器１０４０は溶媒槽１０１８の内部において下方に配置されている。
【００３８】
第１圧縮式ヒートポンプ１００４は、フレオン、炭酸ガスなどの圧縮性流体（以下では第１熱媒体と呼ぶ）を作動流体とする。第１圧縮式ヒートポンプ１００４は、コンプレッサ１０４２と、大気熱交換器１０４４と、膨張弁１０４６を備えている。大気熱交換器１０４４には送風機１０４８が付設されている。送風機１０４８はコントローラ１３００と通信可能であり、コントローラ１３００からの指示によって駆動する。第１圧縮式ヒートポンプ１００４は、それぞれがコントローラ１３００と通信可能である四方弁１０５０、１０５２、１０５４、１０５６、１０５８、１０６２と、三方弁１０６４を備えいる。四方弁１０５０、１０５２、１０５４、１０５６、１０５８、１０６２は、それぞれが４つのポートＡ，Ｂ，Ｃ，Ｄを備えており、コントローラ１３００からの指示に応じて、ポートＡとポートＢを連通し、かつポートＣとポートＤを連通する状態と、ポートＡとポートＤを連通し、かつポートＢとポートＣを連通する状態の間で切換る。三方弁１０６４は、３つのポートａ，ｂ，ｃを備えており、コントローラ１３００からの指示に応じて、ポートａとポートｂを連通してポートｃを連通させない状態と、ポートａとポートｃを連通してポートｂを連通させない状態の間で切換る。
【００３９】
コンプレッサ１０４２は、ガスエンジン（図示されない）を動力源として、第１熱媒体を圧縮する。コンプレッサ１０４２はコントローラ１３００と通信可能であり、コントローラ１３００からの指示によって駆動する。コンプレッサ１０４２における第１熱媒体の出口は、流路１０６６を経由して四方弁１０５２のポートＣへ接続されている。四方弁１０５２のポートＢは、流路１０６８を経由して四方弁１０５４のポートＤへ接続されている。四方弁１０５４のポートＡは、流路１０７０を経由して再生用熱交換器１０２６の冷媒管１０３０の一端へ接続されている。冷媒管１０３０の他端は流路１０７２を経由して四方弁１０５８のポートＣへ接続されている。四方弁１０５８のポートＢは、流路１０７４を経由して四方弁１０５６のポートＣへ接続されている。四方弁１０５６のポートＤは、流路１０７６を経由して大気熱交換器１０４４の一端へ接続されている。
【００４０】
大気熱交換器１０４４は、内部に第１熱媒体が流れる伝熱管であり、内部を流れる第１熱媒体と、送風機１０４８によって外側表面に吹き付けられる大気との間で熱交換を行う。大気熱交換器１０４４の他端は流路１０７８を経由して膨張弁１０４６の一方の出入口へ接続している。膨張弁１０４６は圧縮された第１熱媒体を膨張させる。膨張弁１０４６の他方の出入口は、流路１０８０を経由して、四方弁１０５６のＢポートへ接続している。
【００４１】
四方弁１０５６のポートＡは、流路１０８２を経由して、四方弁１０６２のポートＤへ接続されている。四方弁１０６２のポートＡは、流路１０８４を経由して、三方弁１０６４のポートａへ接続されている。三方弁１０６４のポートｂは、流路１０８６を経由して、凝縮用熱交換器１０３８の一端へ接続されている。凝縮用熱交換器１０３８は内部に第１熱媒体が流れる伝熱管であって、内部を流れる第１熱媒体と、外側表面に接触している気化溶媒との間で熱交換を行う。凝縮用熱交換器１０３８の他端は、流路１０８８を経由して、流路結合部１０６０へ接続されている。三方弁１０６４のポートｃは、流路１０９０を経由して、流路結合部１０６０へ接続されている。流路結合部１０６０は、流路１０９２を経由して、四方弁１０５０のポートＡへ接続されている。四方弁１０５０のポートＢは、流路１０９４を経由して、四方弁１０５２のポートＤに接続されている。四方弁１０５２のポートＡは、流路１０９６を経由して、コンプレッサ１０４２の入口に接続されている。
【００４２】
第２圧縮式ヒートポンプ１００６は、第１圧縮式ヒートポンプ１００４と同様に第１熱媒体を作動流体として用いる。第２圧縮式ヒートポンプ１００６は、コンプレッサ１１００と、膨張弁１１０２を備えている。第２圧縮式ヒートポンプ１００６は、それぞれがコントローラ１３００と通信可能である四方弁１１０４、三方弁１１０６、１１０８を備えている。四方弁１１０４は、４つのポートＡ，Ｂ，Ｃ，Ｄを備えており、コントローラ１３００からの指示に応じて、ポートＡとポートＢを連通し、かつポートＣとポートＤを連通する状態と、ポートＡとポートＤを連通し、かつポートＢとポートＣを連通する状態の間で切換る。三方弁１１０６、１１０８は、それぞれ３つのポートａ，ｂ，ｃを備えており、コントローラ１３００からの指示に応じて、ポートａとポートｂを連通してポートｃを連通させない状態と、ポートａとポートｃを連通してポートｂを連通させない状態の間で切換る。
【００４３】
コンプレッサ１１００は、電気モータ（図示されない）を動力源として、第１熱媒体を圧縮する。コンプレッサ１１００はコントローラ１３００と通信可能であり、コントローラ１３００からの指示によって駆動する。コンプレッサ１１００における第１熱媒体の出口は、流路１１１０を経由して四方弁１１０４のポートＣへ接続されている。四方弁１１０４のポートＤは、流路１１１２を経由して三方弁１１０６のポートａへ接続されている。三方弁１１０６のポートｂは、流路１１１４を経由して、四方弁１０５０のポートＤへ接続されている。四方弁１０５０のポートＣは、流路１１１６を経由して、蒸発用熱交換器１０４０の一端へ接続されている。蒸発用熱交換器１０４０は、内部に第１熱媒体が流れる伝熱管であって、内部を流れる第１熱媒体と、外側表面に接触している溶媒との間で熱交換を行う。蒸発用熱交換器１０４０の他端は、流路１１１８を経由して、四方弁１０６２のポートＣへ接続されている。四方弁１０６２のポートＢは、流路１１２０を経由して、流路結合部１１２２へ接続されている。
【００４４】
三方弁１１０６のポートｃは、流路１１２４を経由して、四方弁１０５８のポートＤへ接続されている。四方弁１０５８のポートＡは、流路１１２６を経由して、四方弁１０５４のポートＣへ接続されている。四方弁１０５４のポートＢは、流路１１２８を経由して、流路結合部１１２２へ接続されている。流路結合部１１２２は、流路１１３０を経由して、三方弁１１０８のポートａへ接続されている。
【００４５】
三方弁１１０８のポートｂは、流路１１３２を経由して流路結合部１１３４へ接続されている。三方弁１１０８のポートｃは、流路１１３６を経由して膨張弁１１０２の一方の出入口へ接続されている。膨張弁１１０２は、圧縮された第１熱媒体を膨張させる。膨張弁１１０２の他方の出入口は、流路１１３８を経由して、流路結合部１１３４へ接続されている。流路結合部１１３４は、流路１１４０を経由して、空調装置１００８の空気熱交換器１１４２の一端に接続されている。
【００４６】
空調装置１００８は、空気熱交換器１１４２と、送風機１１４４を備えている。送風機１１４４は、コントローラ１３００と通信可能であって、コントローラ１３００からの指示に応じて駆動する。空気熱交換器１１４２は、内部に第１熱媒体が流れる伝熱管であり、内部を流れる第１熱媒体と、送風機１１４４によって外側表面に吹き付けられる空気との間で熱交換を行う。空調装置１００８は、空気熱交換器１１４２で冷却または加熱された空気を室内へ供給して、室内の冷房や暖房を行う。空気熱交換器１１４２の他端は流路１１４６を経由して、四方弁１１０４のポートＢへ接続されている。四方弁１１０４のポートＡは、流路１１４８を経由して、コンプレッサ１１００の入口へ接続されている。
【００４７】
吸収式ヒートポンプ１００２の溶液槽１０１６内部に設けられた吸収用熱交換器１０３６の一端は、流路１２００を経由して、熱交換器１２０２内の冷媒管１２０４の一端に接続されている。熱交換器１２０２は冷媒管１２０４と水管１２０６を備えており、冷媒管１２０４の内部を流れる第２熱媒体と、水管１２０６の内部を流れる水との間で熱交換を行う。冷媒管１２０４の他端は、流路１２０８を経由して、三方弁１２１０のポートａへ接続されている。三方弁１２１０は、コントローラ１３００と通信可能である。三方弁１２１０は、３つのポートａ，ｂ，ｃを備えており、コントローラ１３００からの指示に応じて、ポートａとポートｂを連通してポートｃを連通させない状態と、ポートａとポートｃを連通してポートｂを連通させない状態の間で切換る。三方弁１２１０のポートｂは、流路１２１２を経由して、床暖房装置１０１０の冷媒管１２１４の一端に接続されている。床暖房装置１０１０は、冷媒管１２１４の内部を流れる冷媒の熱を利用して、室内の床暖房を行う。冷媒管１２１４の他端は、流路１２１６を経由して、流路結合部１２１８へ接続されている。三方弁１２１０のポートｃは、流路１２２０を経由して、流路結合部１２１８へ接続されている。流路結合部１２１８は、流路１２２２を経由して、吸収用熱交換器１０３６の他端に接続されている。流路１２２２にはポンプ１２２４が設けられている。ポンプ１２２４は、コントローラ１３００と通信可能であって、コントローラ１３００からの指示に応じて駆動する。
【００４８】
貯湯槽１０１２は、内部に温水を蓄えることが可能な略円筒状の容器である。貯湯槽１０１２の底部は、流路１２２６を経由して、熱交換器１２０２の水管１２０６の一端へ接続されている。流路１２２６には、ポンプ１２２８が設けられている。ポンプ１２２８は、コントローラ１３００と通信可能であって、コントローラ１３００からの指示に応じて駆動する。熱交換器１２０２の水管１２０６の他端は、流路１２３０を経由して、貯湯槽１０１２の頂部へ接続されている。貯湯槽１０１２の底部には、水道管１２３２を経由して、水道水が供給される。貯湯槽１０１２の頂部からは、給湯路１２３４、補助加熱装置１０１４を経由して、給湯がなされる。貯湯槽１０１２の頂部から延びる給湯路１２３４は、補助加熱装置１０１４の給湯管１２３８へ接続している。補助加熱装置１０１４は、バーナ１２３６によって給湯管１２３８を流れる温水を設定温度まで加熱する。バーナ１２３６はコントローラ１３００と通信可能であって、コントローラ１３００からの指示に応じた火力で燃焼する。補助加熱装置１０１４で設定温度まで加熱された温水は、給湯管１２３８から給湯利用箇所へ供給される。
【００４９】
コントローラ１３００は、バス線によって互いに通信可能に接続されたＣＰＵ、ＲＯＭ、ＲＡＭ、入力ポート、出力ポート等を備えている。ＣＰＵは、ＲＯＭに格納されている制御プログラムを処理する。ＲＯＭに格納されているプログラムの中には、システム１０００を制御するプログラムが含まれる。ＲＡＭは、コントローラ１３００に入力される各種信号や、ＣＰＵが処理を実行する過程で生成される各種データを一時的に記憶する。入力ポートには、サーミスタ等の図示されない各種センサ群と、リモコン１３０２が接続されている。各種センサ群やリモコン１３０２から出力された情報は入力ポートに入力される。ＣＰＵは、入力ポートに入力された情報を取り込む。ＣＰＵは、入力された情報に基づいて各種制御を実行する。出力ポートには、開閉弁１０２２や、コンプレッサ１０４２、１１００、ポンプ１０３４、１２２４、１２２６、送風機１０４８、１１４４、四方弁１０５０、１０５２、１０５４、１０５６、１０５８、１０６２、１１０４、三方弁１０６４、１１０６、１１０８、バーナ１２３６などが接続されている。ＣＰＵが生成して出力した各種信号は、出力ポートを介してこれらの各構成要素に入力される。
【００５０】
リモコン１３０２は、コントローラ１３００と通信可能である。リモコン１３０２は複数の操作スイッチを備えており、システム１０００の利用者はリモコン１３０２にシステム１０００の運転の種別や、冷暖房の温度、給湯温度などを設定する。リモコン１３０２は設定されたシステム１０００の運転の種別や、冷暖房の温度、給湯温度などをコントローラ１３００へ出力する。
【００５１】
続いて、上記したコントローラ１３００によって実行される各種の処理について説明する。
【００５２】
（１）再生運転
再生運転を開始すると、コントローラ１３００は、図１に示すように、四方弁１０５０、１０５２、１０５４、１０５６、１０５８、１０６２、三方弁１０６４を切換える。これによって、コンプレッサ１０４２から流出する第１熱媒体が、流路１０６６、四方弁１０５２、流路１０６８、四方弁１０５４、流路１０７０、再生用熱交換器１０２６の冷媒管１０３０、流路１０７２、四方弁１０５８、流路１０７４、四方弁１０５６、流路１０７６、大気熱交換器１０４４、流路１０７８、膨張弁１０４６、流路１０８０、四方弁１０５６、流路１０８２、四方弁１０６２、流路１０８４、三方弁１０６４、流路１０８６、凝縮用熱交換器１０３８、流路１０８８、流路結合部１０６０、流路１０９２、四方弁１０５０、流路１０９４、四方弁１０５２、流路１０９６を順に経由して、コンプレッサ１０４２へ戻る循環路が形成される。
【００５３】
コントローラ１３００は、コンプレッサ１０４２を駆動する。またコントローラ１３００は、ポンプ１０３４を駆動し、開閉弁１０２２を開く。さらにコントローラ１３００は、送風機１０４８を駆動する。
【００５４】
コンプレッサ１０４２が駆動すると、第１熱媒体はコンプレッサ１０４２において圧縮されて、高温高圧となる。コンプレッサ１０４２から流出した第１熱媒体は、再生用熱交換器１０２６の冷媒管１０３０へ流入する。一方、溶液槽１０１６内の溶液は、ポンプ１０３４によって汲出されて、第１溶液流路１０２４を経由して再生用熱交換器１０２６の溶液管１０２８へ流入する。再生用熱交換器１０２６において、冷媒管１０３０内を流れる第１熱媒体と、溶液管１０２８内を流れる溶液との間で熱交換が行われて、第１熱媒体は冷却されて凝縮し、溶液は加熱される。加熱された溶液は、第２溶液流路１０３２を経由して溶液槽１０１６内へ流入し、フラッシュ蒸発によって気化溶媒と濃縮された溶液に分離される。溶液から分離した気化溶媒は、気化溶媒流路１０２０を経て、溶液槽１０１６内よりも蒸気圧の低い溶媒槽１０１８内へ流入する。濃縮された溶液は、溶液槽１０１６内に散布されて、溶液槽１０１６の下部の溶液と混合する。
【００５５】
再生用熱交換器１０２６では、冷媒管１０３０内の第１熱媒体と、溶液管１０２８内の溶液とが、互いに対向する方向に流れる。このような構成とすることによって、第１熱媒体と溶液との間で大きな熱量を移動させることができる。
【００５６】
再生用熱交換器１０２６の冷媒管１０３０で冷却された第１熱媒体は、大気熱交換器１０４４へ流入し、大気との熱交換によってさらに冷却される。大気熱交換器１０４４で冷却された第１熱媒体は、膨張弁１０４６へ流入して膨張する。膨張弁１０４６で膨張して低温となった第１熱媒体は、溶媒槽１０１８の凝縮用熱交換器１０３８へ流入する。
【００５７】
溶液槽１０１６から気化溶媒流路１０２０を経由して溶媒槽１０１８へ流入した気化溶媒は、凝縮用熱交換器１０３８の表面において、凝縮用熱交換器１０３８の内部を流れる低温の第１熱媒体との間で熱交換する。気化溶媒は冷却されて凝縮し、凝縮用熱交換器１０３８の表面に結露する。結露した液化溶媒は、溶媒槽１０１８の下部に滴下して、溶媒槽１０１８に貯められる。凝縮用熱交換器１０３８の内部を流れる第１熱媒体は、気化溶媒との温度差によって加熱され、さらに凝縮用熱交換器１０３８の表面で生じる気化溶媒の凝縮熱によっても加熱されて、蒸発する。凝縮用熱交換器１０３８で蒸発した第１熱媒体は、コンプレッサ１０４２へ還流する。
【００５８】
上記の再生運転によって、溶液槽１０１６内の溶液から気化溶媒が分離されていき、溶液槽１０１６の溶液は濃縮されていく。一方で、溶媒槽１０１８内に蓄えられている液化溶媒の量は増加していく。再生用熱交換器１０２６で発生する溶媒の蒸発潜熱と凝縮用熱交換器１０３８で吸収する溶媒の凝縮潜熱の差分は、コンプレッサ１０４２で与えられるエネルギーとともに、大気熱交換器１０４４で大気に放出される。
【００５９】
本実施例のシステム１０００では、６０％程度まで溶液を濃縮する。このような場合、蒸発用熱交換器１０４０で必要とされる第１熱媒体の温度は５℃程度であり、再生用熱交換器１０２６で必要とされる第１熱媒体の温度は４０℃程度である。これは、第１圧縮式ヒートポンプ１００４がコンプレッサ１０４２に過大な負荷をかけることなく好適に運転することができる温度領域である。
【００６０】
本実施例のシステム１０００では、ガスエンジンで駆動するコンプレッサ１０４２を利用して、溶媒の再生を行う。電力に比べて低価格なガスを利用することで、再生に係るコストを低減することが可能である。
【００６１】
なお、コンプレッサ１０４２としては、電気モータで駆動するコンプレッサを利用することもできる。このような場合には、上記した再生運転を深夜に行うことによって、電気料金の安い深夜電力を用いて溶媒を再生することができる。システムのランニングコストを低減することができる。
【００６２】
（２）暖房運転
暖房運転を開始すると、コントローラ１３００は、図２に示すように、四方弁１０５０、１０５２、１０５４、１０５６、１０５８、１０６２、１１０４、三方弁１１０６、１１０８を切換える。これによって、コンプレッサ１０４２から流出する第１熱媒体が、流路１０６６、四方弁１０５２、流路１０９４、四方弁１０５０、流路１１１６、蒸発用熱交換器１０４０、流路１１１８、四方弁１０６２、流路１０８２、四方弁１０５６、流路１０８０、膨張弁１０４６、流路１０７８、大気熱交換器１０４４、流路１０７６、四方弁１０５６、流路１０７４、四方弁１０５８、流路１１２６、四方弁１０５４、流路１０６８、四方弁１０５２、流路１０９６を順に経由して、コンプレッサ１０４２へ戻る循環路が形成される。また、コンプレッサ１１００から流出する第１熱媒体が、流路１１１０、四方弁１１０４、流路１１４６、空気熱交換器１１４２、流路１１４０、流路結合部１１３４、流路１１３８、膨張弁１１０２、流路１１３６、三方弁１１０８、流路１１３０、流路結合部１１２２、流路１１２８、四方弁１０５４、流路１０７０、再生用熱交換器１０２６の冷媒管１０３０、流路１０７２、四方弁１０５８、流路１１２４、三方弁１１０６、流路１１１２、四方弁１１０４、流路１１４８を順に経由して、コンプレッサ１１００へ戻る循環路が形成される。
【００６３】
コントローラ１３００は、コンプレッサ１０４２、１１００を駆動する。またコントローラは、ポンプ１０３４を駆動し、開閉弁１０２２を開く。さらにコントローラ１３００は、送風機１０４８、１１４４を駆動する。
【００６４】
また、コントローラ１３００は、三方弁１２１０を切換え、ポンプ１２２４を駆動する。これによって、流路１２２２内を流れる第２熱媒体が、吸収用熱交換器１０３６、流路１２００、熱交換器１２０２の冷媒管１２０４、流路１２０８、三方弁１２１０、流路１２１２、床暖房装置１０１０の冷媒管１２１４、流路１２１６、流路結合部１２１８を順に経由して流路１２２２へ戻る循環路が形成され、その循環路を第２熱媒体が循環する。
【００６５】
コンプレッサ１０４２が駆動すると、第１熱媒体はコンプレッサ１０４２において圧縮されて、高温高圧となる。コンプレッサ１０４２から流出した第１熱媒体は、蒸発用熱交換器１０４０へ流入し、溶媒槽１０１８に貯まっている液化溶媒と熱交換する。蒸発用熱交換器１０４０における熱交換によって、液化溶媒は加熱されて蒸発し、第１熱媒体は冷却されて凝縮する。液化溶媒との熱交換によって冷却された第１熱媒体は、膨張弁１０４６へ流入して膨張する。膨張弁１０４６で膨張して低温となった第１熱媒体は、大気熱交換器１０４４へ流入し、大気との熱交換によって加熱されて蒸発する。大気熱交換器１０４４で蒸発した第１熱媒体は、コンプレッサ１０４２へ還流する。
【００６６】
溶媒槽１０１８の蒸発用熱交換器１０４０の表面で発生した気化溶媒は、気化溶媒流路１０２０を経由して、溶媒槽１０１８内よりも蒸気圧の低い溶液槽１０１６内へ流入する。
【００６７】
溶液槽１０１６内の溶液は、ポンプ１０３４によって底部から汲出されて、第１溶液流路１０２４を経由して再生用熱交換器１０２６の溶液管１０２８へ流入する。再生用熱交換器１０２６において、冷媒管１０３０内を流れる第１熱媒体と、溶液管１０２８内を流れる溶液との間で熱交換が行われる。熱交換によって第１熱媒体は加熱されて、溶液は冷却される。冷却された溶液は、第２溶液流路１０３２を経由して溶液槽１０１６内へ流入し、吸収用熱交換器１０３６へ散布される。
【００６８】
吸収用熱交換器１０３６の表面に付着した溶液は、気化溶媒流路１０２０を経由して溶媒槽１０１８から流入する気化溶媒を吸収して、希釈される。この際に発生する吸収熱は、吸収用熱交換器１０３６の内部を流れる第２熱媒体によって吸収される。気化溶媒を吸収して希釈された溶液は、溶液槽１０３６の底部へ貯まる。
【００６９】
コンプレッサ１１００が駆動すると、第１熱媒体はコンプレッサ１１００において圧縮されて、高温高圧となる。コンプレッサ１１００から流出した第１熱媒体は、空調装置１００８の空気熱交換器１１４２へ流入し、送風機１１４４によって空気熱交換器１１４２の表面に吹きつけられる空気と熱交換する。空気熱交換器１１４２における熱交換によって、空気は加熱されて高温となり、室内を暖める。空気熱交換器１１４２における熱交換によって、第１熱媒体は冷却されて凝縮する。空気熱交換器１１４２から流出した第１熱媒体は、膨張弁１１０２へ流入して膨張する。膨張弁１１０２で膨張して低温となった第１熱媒体は、再生用熱交換器１０２６の冷媒管１０３０へ流入する。再生用熱交換器１０２６において、第１熱媒体は加熱されて蒸発する。再生用熱交換器１０２６で蒸発した第１熱媒体は、コンプレッサ１１００へ還流する。
【００７０】
再生用熱交換器１０２６では、冷媒管１０３０内の第１熱媒体と、溶液管１０２８内の溶液とが、互いに対向する方向に流れる。このような構成とすることによって、第１熱媒体と溶液との間で大きな熱量を移動させることができる。
【００７１】
ポンプ１２２４が駆動すると、流路１２２２内の第２熱媒体は、吸収用熱交換器１０３６へ流入する。吸収用熱交換器１０３６の表面で発生する溶液の吸収熱によって、吸収用熱交換器１０３６の内部の第２熱媒体は加熱されて高温となる。高温となった第２熱媒体は、流路１２００、熱交換器１２０２の冷媒管１２０４、流路１２０８、三方弁１２１０、流路１２１２を経由して、床暖房装置１０１０の冷媒管１２１４へ流入する。暖房運転では、ポンプ１２２８が駆動していないため、熱交換器１２０２の水管１２０６の内部には水が流れていない。従って、熱交換器１２０２では熱交換は行われず、冷媒管１２０４は単なる流路として機能する。床暖房装置１０１０の冷媒管１２１４へ流入した第２熱媒体は、放熱して床を暖める。床暖房装置１０１０において放熱して低温となった第２熱媒体は、流路１２１６、流路結合部１２１８を経由して、流路１２２２へ還流する。
【００７２】
上記の暖房運転においては、大気熱交換器１０４４で大気から吸収した熱を利用して溶媒槽１０１８の液化溶媒を蒸発させ、溶液槽１０１６で発生する吸収熱を空調装置１００８や床暖房装置１０１０の熱源として利用する。高いＣＯＰで高温の暖房を実現することができる。
【００７３】
（３）給湯運転
給湯運転を開始すると、コントローラ１３００は、図３に示すように、四方弁１０５０、１０５２、１０５４、１０５６、１０５８、１０６２を切換える。これによって、コンプレッサ１０４２から流出する第１熱媒体が、流路１０６６、四方弁１０５２、流路１０９４、四方弁１０５０、流路１１１６、蒸発用熱交換器１０４０、流路１１１８、四方弁１０６２、流路１０８２、四方弁１０５６、流路１０８０、膨張弁１０４６、流路１０７８、大気熱交換器１０４４、流路１０７６、四方弁１０５６、流路１０７４、四方弁１０５８、流路１１２６、四方弁１０５４、流路１０６８、四方弁１０５２、流路１０９６を順に経由して、コンプレッサ１０４２へ戻る循環路が形成される。
【００７４】
コントローラ１３００は、コンプレッサ１０４２を駆動する。またコントローラは、ポンプ１０３４を駆動し、開閉弁１０２２を開く。さらにコントローラ１３００は、送風機１０４８、１１４４を駆動する。
【００７５】
またコントローラ１３００は、三方弁１２１０を切換える。これによって、流路１２２２内を流れる第２熱媒体が、吸収用熱交換器１０３６、流路１２００、熱交換器１２０２内の冷媒管１２０４、流路１２０８、三方弁１２１０、流路１２２０、流路結合部１２１８を順に経由して流路１２２２へ戻る循環路が形成される。コントローラ１３００は、ポンプ１２２４、１２２８を駆動する。
【００７６】
コンプレッサ１０４２が駆動すると、第１熱媒体はコンプレッサ１０４２において圧縮されて、高温高圧となる。コンプレッサ１０４２から流出した第１熱媒体は、蒸発用熱交換器１０４０へ流入し、溶媒槽１０１８に貯まっている液化溶媒と熱交換する。蒸発用熱交換器１０４０における熱交換によって、液化溶媒は加熱されて蒸発し、第１熱媒体は冷却されて凝縮する。液化溶媒との熱交換によって冷却された第１熱媒体は、膨張弁１０４６へ流入して膨張する。膨張弁１０４６で膨張して低温となった第１熱媒体は、大気熱交換器１０４４へ流入し、大気との熱交換によって加熱されて蒸発する。大気熱交換器１０４４で蒸発した第１熱媒体は、コンプレッサ１０４２へ還流する。
【００７７】
溶媒槽１０１８の蒸発用熱交換器１０４０の表面で発生した気化溶媒は、気化溶媒流路１０２０を経て、溶媒槽１０１８内よりも蒸気圧の低い溶液槽１０１６内へ流入する。
溶液槽１０１６内の溶液は、ポンプ１０３４によって底部から汲出されて、第１溶液流路１０２４、再生用熱交換器１０２６の溶液管１０２８、第２溶液流路１０３２を経由して、溶液槽１０１６の上部から吸収用熱交換器１０３６へ散布される。給湯運転においては、再生用熱交換器１０２６における熱交換は行われない。
【００７８】
吸収用熱交換器１０３６の表面に付着した溶液は、気化溶媒流路１０２０を経由して溶媒槽１０１８から流入する気化溶媒を吸収して、希釈される。この際に発生する吸収熱は、吸収用熱交換器１０３６の内部を流れる第２熱媒体によって吸収される。気化溶媒を吸収して希釈された溶液は、溶液槽１０３６の底部へ滴下し、溶液槽１０３６内の溶液と混合する。
【００７９】
ポンプ１２２４が駆動すると、流路１２２２内の第２熱媒体は、吸収用熱交換器１０３６へ流入する。吸収用熱交換器１０３６において、第２熱媒体は加熱されて高温となる。高温となった第２熱媒体は、流路１２００を経由して、熱交換器１２０２の冷媒管１２０４へ流入する。熱交換器１２０２において、冷媒管１２０４内を流れる第２熱媒体と、水管１２０６内を流れる水との間で熱交換が行われ、第２熱媒体は冷却されて、水は加熱される。熱交換器１２０２において冷却された第２熱媒体は、流路１２０８、三方弁１２１０、流路１２２０、流路結合部１２１８を経由して、流路１２２２へ還流する。
【００８０】
ポンプ１２２８が駆動すると、貯湯槽１０１２の底部から汲出された水は、流路１２２６を経由して熱交換器１２０２の水管１２０６へ流入し、第２熱媒体との熱交換によって加熱される。熱交換器１２０２において加熱された水は、流路１２３０を経由して、貯湯槽１０１２の頂部へ流入する。
【００８１】
本実施例のシステム１０００の給湯運転では、熱交換器１２０２において、冷媒管１２０４内の第２熱媒体と、水管１２０６内の水とが、互いに対向する方向に流れる。このような構成とすることによって、第２熱媒体と水との間で大きな熱量を移動させることができる。
【００８２】
上記の給湯運転においては、大気熱交換器１０４４で大気から吸収される熱を利用して、溶媒槽１０１８の溶媒を蒸発する。溶液槽１０１６の溶液の吸収熱は、第２熱媒体を介して、貯湯槽１０１２の水の加熱に利用される。このようにして、貯湯槽１０１２の上部に温水が貯えられる。
【００８３】
貯湯槽１０１２の上部に蓄えられた温水は、給湯路１２３４を経由して給湯利用箇所へ供給される。給湯利用箇所への給湯の際には、必要に応じて補助加熱装置１０１４による加熱が行われる。補助加熱装置１０１４のバーナ１２３６の燃焼によって設定温度まで加熱された温水を、給湯利用箇所へ供給することができる。
【００８４】
（４）冷房運転
冷房運転を開始すると、コントローラ１３００は、図４に示すように、四方弁１０５０、１０５２、１０５４、１０５６、１０５８、１０６２、１１０４、三方弁１０６４、１１０６、１１０８を切換える。これによって、コンプレッサ１０４２から流出する第１熱媒体が、流路１０６６、四方弁１０５２、流路１０９４、四方弁１０５０、流路１０９２、流路結合部１０６０、流路１０９０、三方弁１０６４、流路１０８４、四方弁１０６２、流路１０８２、四方弁１０５６、流路１０７６、大気熱交換器１０４４、流路１０７８、膨張弁１０４６、流路１０８０、四方弁１０５６、流路１０７４、四方弁１０５８、流路１０７２、再生用熱交換器１０２６の冷媒管１０３０、流路１０７０、四方弁１０５４、流路１０６８、四方弁１０５２、流路１０９６を順に経由して、コンプレッサ１０４２へ戻る循環路が形成される。また、コンプレッサ１１００から流出する第１熱媒体が、流路１１１０、四方弁１１０４、流路１１１２、三方弁１１０６、流路１１１４、四方弁１０５０、流路１１１６、蒸発用熱交換器１０４０、流路１１１８、四方弁１０６２、流路１１２０、流路結合部１１２２、流路１１３０、三方弁１１０８、流路１１３６、膨張弁１１０２、流路１１３８、流路結合部１１３４、流路１１４０、空調装置１００８の空気熱交換器１１４２、流路１１４６、四方弁１１０４、流路１１４８を順に経由して、コンプレッサ１１００へ戻る循環路が形成される。
【００８５】
コントローラ１３００は、コンプレッサ１０４２、コンプレッサ１１００を駆動する。またコントローラは、ポンプ１０３４を駆動し、開閉弁１０２２を開く。さらにコントローラ１３００は、送風機１０４８、送風機１１４４を駆動する。
【００８６】
コンプレッサ１１００が駆動すると、第１熱媒体はコンプレッサ１１００において圧縮されて高温高圧となる。コンプレッサ１１００から流出した第１熱媒体は、蒸発用熱交換器１０４０へ流入し、溶媒槽１０１８に貯まっている液化溶媒と熱交換する。蒸発用熱交換器１０４０における熱交換によって、液化溶媒は加熱されて蒸発し、第１熱媒体は冷却されて凝縮する。液化溶媒との熱交換によって冷却された第１熱媒体は、膨張弁１１０２へ流入して膨張する。膨張弁１１０２で膨張して低温となった第１熱媒体は、空調装置１００８の空気熱交換器１１４２へ流入し、送風機１１４４によって空気熱交換器１１４２の表面に吹きつけられる空気と熱交換する。空気熱交換器１１４２における熱交換によって、空気は冷却されて低温となり、室内を冷やす。空気熱交換器１１４２における熱交換によって、第１熱媒体は加熱されて蒸発する。空気熱交換器１１４２から流出した第１熱媒体は、コンプレッサ１１００へ還流する。
【００８７】
溶液槽１０１６内の溶液は、ポンプ１０３４によって汲出されて、第１溶液流路１０２４を経由して再生用熱交換器１０２６の溶液管１０２８へ流入する。再生用熱交換器１０２６において、冷媒管１０３０内を流れる第１熱媒体と、溶液管１０２８内を流れる溶液との間で熱交換が行われて、第１熱媒体は加熱されて蒸発し、溶液は冷却される。冷却された溶液は、第２溶液流路１０３２を経由して溶液槽１０１６内へ流入し、吸収用熱交換器１０３６へ散布される。
【００８８】
吸収用熱交換器１０３６の表面に付着した溶液は、気化溶媒流路１０２０を経由して溶媒槽１０１８から流入する気化溶媒を吸収して、希釈される。この際に発生する吸収熱によって、溶液は加熱されて高温となる。希釈された溶液は、溶液槽１０３６の下部へ滴下し、溶液槽１０３６内の溶液と混合する。
【００８９】
コンプレッサ１０４２が駆動すると、第１熱媒体はコンプレッサ１０４２において圧縮されて、高温高圧となる。コンプレッサ１０４２から流出した第１熱媒体は、大気熱交換器１０４４へ流入し、大気との熱交換によって冷却されて凝縮する。大気熱交換器１０４４で凝縮した第１熱媒体は、膨張弁１０４６へ流入して膨張する。膨張弁１０４６で膨張して低温となった第１熱媒体は、再生用熱交換器１０２６の冷媒管１０３０へ流入し、溶液管１０２８を流れる溶液との熱交換によって加熱されて蒸発する。再生用熱交換器１０２６で蒸発した第１熱媒体は、コンプレッサ１０４２へ還流する。
【００９０】
上記の冷房運転においては、空調装置１００８における冷房によって第１熱媒体が吸収した熱を利用して、溶媒槽１０１８の液化溶媒を蒸発する。また、溶液槽１０１６の溶液が発生する吸収熱は、大気熱交換器１０４４において大気へ放出される。
【００９１】
（５）冷房・給湯運転
上記した（４）の冷房運転は、給湯と並行して行うこともできる。
冷房・給湯運転を開始すると、コントローラ１３００は、図５に示すように、四方弁１０５０、１０６２、三方弁１１０６、１１０８を切換える。これによって、コンプレッサ１１００から流出する第１熱媒体が、流路１１１０、四方弁１１０４、流路１１１２、三方弁１１０６、流路１１１４、四方弁１０５０、流路１１１６、蒸発用熱交換器１０４０、流路１１１８、四方弁１０６２、流路１１２０、流路結合部１１２２、流路１１３０、三方弁１１０８、流路１１３６、膨張弁１１０２、流路１１３８、流路結合部１１３４、流路１１４０、空調装置１００８の空気熱交換器１１４２、流路１１４６、四方弁１１０４、流路１１４８を順に経由して、コンプレッサ１１００へ戻る循環路が形成される。
【００９２】
コントローラ１３００は、コンプレッサ１１００を駆動する。またコントローラは、ポンプ１０３４を駆動し、開閉弁１０２２を開く。さらにコントローラ１３００は、送風機１１４４を駆動する。
【００９３】
またコントローラ１３００は、三方弁１２１０を切換える。これによって、流路１２２２内を流れる第２熱媒体が、吸収用熱交換器１０３６、流路１２００、熱交換器１２０２内の冷媒管１２０４、流路１２０８、三方弁１２１０、流路１２２０、流路結合部１２１８を順に経由して流路１２２２へ戻る循環路が形成される。コントローラ１３００は、ポンプ１２２４、１２２８を駆動する。
【００９４】
コンプレッサ１１００が駆動すると、第１熱媒体はコンプレッサ１１００において圧縮されて、高温高圧となる。コンプレッサ１１００から流出した第１熱媒体は、蒸発用熱交換器１０４０へ流入し、溶媒槽１０１８に貯まっている液化溶媒と熱交換する。蒸発用熱交換器１０４０における熱交換によって、液化溶媒は加熱されて蒸発し、第１熱媒体は冷却されて凝縮する。液化溶媒との熱交換によって冷却された第１熱媒体は、膨張弁１１０２へ流入して膨張する。膨張弁１１０２で膨張して低温となった第１熱媒体は、空気熱交換器１１４２へ流入し、送風機１１４４によって空気熱交換器１１４２の表面に吹きつけられる空気と熱交換する。空気熱交換器１１４２における熱交換によって、空気は冷却されて低温となり、室内を冷やす。空気熱交換器１１４２における熱交換によって、第１熱媒体は加熱されて蒸発する。空気熱交換器１１４２から流出した第１熱媒体は、コンプレッサ１１００へ還流する。
【００９５】
溶液槽１０１６内の溶液は、ポンプ１０３４によって汲出されて、第１溶液流路１０２４、再生用熱交換器１０２６の溶液管１０２８、第２溶液流路１０３２を順に経由して、溶液槽１０１６内の上方から吸収用熱交換器１０３６へ散布される。冷房・給湯運転においては、再生用熱交換器１０２６における熱交換は行われない。
【００９６】
吸収用熱交換器１０３６の表面に付着した溶液は、気化溶媒流路１０２０を経由して溶媒槽１０１８から流入する気化溶媒を吸収して、希釈される。この際に発生する吸収熱は、吸収用熱交換器１０３６の内部を流れる第２熱媒体によって吸収される。気化溶媒を吸収して希釈された溶液は、溶液槽１０１６の下部へ滴下し、溶液槽１０１６内の溶液と混合する。
【００９７】
ポンプ１２２４が駆動すると、流路１２２２内の第２熱媒体は、吸収用熱交換器１０３６へ流入する。吸収用熱交換器１０３６において、第２熱媒体は加熱されて高温となる。高温となった第２熱媒体は、流路１２００を経由して、熱交換器１２０２の冷媒管１２０４へ流入する。熱交換器１２０２において、冷媒管１２０４内を流れる第２熱媒体と、水管１２０６内を流れる水との間で熱交換が行われ、第２熱媒体は冷却されて、水は加熱される。熱交換器１２０２において冷却された第２熱媒体は、流路１２０８、三方弁１２１０、流路１２２０、流路結合部１２１８を経由して、流路１２２２へ還流する。
【００９８】
ポンプ１２２８が駆動すると、貯湯槽１０１２の底部から汲出された水は、流路１２２６を経由して熱交換器１２０２の水管１２０６へ流入し、第２熱媒体との熱交換によって加熱される。熱交換器１２０２において加熱された水は、流路１２３０を経由して、貯湯槽１０１２の頂部へ流入する。
【００９９】
本実施例のシステム１０００の冷房・給湯運転では、熱交換器１２０２において、冷媒管１２０４内の第２熱媒体と、水管１２０６内の水とが、互いに対向する方向に流れる。このような構成とすることによって、第２熱媒体と水との間で大きな熱量を移動させることができる。
【０１００】
上記の冷房・給湯運転においては、空調装置１００８での冷房によって空気から吸収された熱を利用して、溶媒槽１０１８の液化溶媒を蒸発する。溶液槽１０１６で発生する吸収熱は、貯湯槽１０１２の水の加熱に利用される。このような運転は、熱の利用効率が極めて高い。また、溶液槽１０１６で発生する吸収熱を熱源としているため、高温の温水を得ることができる。
【０１０１】
（６）暖房運転（圧縮ＨＰ）
本実施例のシステム１０００では、溶媒槽１０１８内の液化溶媒を使い切ってしまい、それ以上溶液槽１０１６内の溶液を希釈することができずに吸収式ヒートポンプ１００２を利用できない状態になった場合でも、圧縮式ヒートポンプのみを利用して空調装置１００８を用いた暖房や冷房を行うことができる。
【０１０２】
暖房運転（圧縮ＨＰ）を開始すると、コントローラ１３００は、図６に示すように、四方弁１０５０、１０５４、１０５６、１０５８、１０６２、１１０４、三方弁１０６４、１１０６、１１０８を切換える。これによって、コンプレッサ１１００から流出する第１熱媒体が、流路１１１０、四方弁１１０４、流路１１４６、空調装置１００８の空気熱交換器１１４２、流路１１４０、流路結合部１１３４、流路１１３２、三方弁１１０８、流路１１３０、流路結合部１１２２、流路１１２８、四方弁１０５４、流路１１２６、四方弁１０５８、流路１０７４、四方弁１０５６、流路１０８０、膨張弁１０４６、流路１０７８、大気熱交換器１０４４、流路１０７６、四方弁１０５６、流路１０８２、四方弁１０６２、流路１０８４、三方弁１０６４、流路１０９０、流路結合部１０６０、流路１０９２、四方弁１０５０、流路１１１４、三方弁１１０６、流路１１１２、四方弁１１０４、流路１１４８を順に経由して、コンプレッサ１１００へ戻る循環路が形成される。
コントローラ１３００は、コンプレッサ１１００を駆動する。送風機１０４８、送風機１１４４を駆動する。
【０１０３】
コンプレッサ１１００が駆動すると、第１熱媒体はコンプレッサ１１００において圧縮されて、高温高圧となる。コンプレッサ１１００から流出した第１熱媒体は、空気熱交換器１１４２へ流入し、送風機１１４４によって空気熱交換器１１４２の表面に吹きつけられる大気と熱交換する。空気熱交換器１１４２における熱交換によって、第１熱媒体は冷却されて凝縮し、空気は加熱されて高温となる。空調装置１００８は、高温となった空気を利用して室内を暖める。空気熱交換器１１４２において冷却された第１熱媒体は、膨張弁１０４６へ流入して膨張する。膨張弁１０４６で膨張して低温となった第１熱媒体は、大気熱交換器１０４４へ流入し、送風機１０４８によって大気熱交換器１０４４の表面に吹きつけられる大気と熱交換する。大気熱交換器１０４４における熱交換によって、第１熱媒体は加熱されて蒸発し、大気は冷却される。大気熱交換器１０４４で加熱された第１熱媒体は、コンプレッサ１１００へ還流する。
【０１０４】
暖房運転（圧縮ＨＰ）においては、大気熱交換器１０４４で大気から吸収される熱を利用して、空調装置１００８の空気熱交換器１１４２で空気を加熱する。加熱された空気を利用して、室内を暖房することができる。
【０１０５】
本実施例のシステム１０００によれば、溶媒槽１０１８の内部の溶媒を使いきってしまった後も、引き続き暖房運転を行うことができる。
【０１０６】
（７）冷房運転（圧縮ＨＰ）
冷房運転（圧縮ＨＰ）を開始すると、コントローラ１３００は、図７に示すように、四方弁１０５０、１０５４、１０５６、１０５８、１０６２、１１０４、三方弁１０６４、１１０６、１１０８を切換える。これによって、コンプレッサ１１００から流出する第１熱媒体が、流路１１１０、四方弁１１０４、流路１１１２、三方弁１１０６、流路１１１４、四方弁１０５０、流路１０９２、流路結合部１０６０、流路１０９０、三方弁１０６４、流路１０８４、四方弁１０６２、流路１０８２、四方弁１０５６、流路１０７６、大気熱交換器１０４４、流路１０７８、膨張弁１０４６、流路１０８０、四方弁１０５６、流路１０７４、四方弁１０５８、流路１１２６、四方弁１０５４、流路１１２８、流路結合部１１２２、流路１１３０、三方弁１１０８、流路１１３２、流路結合部１１３４、流路１１４０、空調装置１００８の空気熱交換器１１４２、流路１１４６、四方弁１１０４、流路１１４８を順に経由して、コンプレッサ１１００へ戻る流路が形成される。
コントローラ１３００は、コンプレッサ１１００を駆動する。送風機１０４８、送風機１１４４を駆動する。
【０１０７】
コンプレッサ１１００が駆動すると、第１熱媒体はコンプレッサ１１００において圧縮されて、高温高圧となる。コンプレッサ１１００から流出した第１熱媒体は、大気熱交換器１０４４へ流入し、送風機１０４８によって大気熱交換器１０４４の表面に吹きつけられる大気と熱交換する。大気熱交換器１０４４における熱交換によって、第１熱媒体は冷却されて凝縮し、大気は加熱される。大気熱交換器１０４４において冷却された第１熱媒体は、膨張弁１０４６へ流入して膨張する。膨張弁１０４６で膨張して低温となった第１熱媒体は、空気熱交換器１１４２へ流入し、送風機１１４４によって空気熱交換器１１４２の表面に吹きつけられる空気と熱交換する。空気熱交換器１１４２における熱交換によって、第１熱媒体は加熱されて蒸発し、空気は冷却される。空調装置１００８は、冷却された空気を利用して室内を冷やす。空気熱交換器１１４２で加熱された第１熱媒体は、コンプレッサ１１００へ還流する。
【０１０８】
冷房運転（圧縮ＨＰ）においては、空調装置１００８の空気熱交換器１１４２で吸収した熱を、大気熱交換器１０４４で大気へ放出する。空気熱交換器１１４２で冷却された空気を利用して、室内を冷房することができる。
【０１０９】
本実施例のシステム１０００によれば、溶媒槽１０１８の内部の溶媒を使いきってしまった後も、引き続き冷房運転を行うことができる。
【０１１０】
上述のように、本実施例のシステム１０００によれば、四方弁１０５０、１０５２、１０５４、１０５６、１０５８、１０６２、１１０４、三方弁１０６４、１１０６、１１０８を切換えることによって、再生運転、暖房運転、給湯運転、冷房運転、冷房・給湯運転、暖房運転（圧縮ＨＰ）、冷房運転（圧縮ＨＰ）のいずれかの運転を行うことができる。
【０１１１】
（第２実施例）
図８を用いて、本実施例のシステム８０００について説明する。第１実施例のシステム１０００と共通する構成要素については、同一の参照符号を付して、説明を省略する。システム８０００は、吸収式ヒートポンプ８００２と、第１圧縮式ヒートポンプ８００４と、第２圧縮式ヒートポンプ１００６と、空調装置１００８と、貯湯槽１０１２と、補助加熱装置１０１４を備えている。
【０１１２】
吸収式ヒートポンプ８００２は、臭化リチウム水溶液などのリチウム塩溶液を作動流体とする。吸収式ヒートポンプ８００２は、溶液を内部に蓄える溶液槽８０１６と、溶媒を内部に蓄える溶媒槽８０１８を備える。溶液槽８０１６、溶媒槽８０１８は、ともに内部の気圧を減圧された容器であって、溶液槽８０１６の頂部と溶媒槽８０１８の頂部は、気化溶媒流路１０２０を介して連通している。
【０１１３】
溶液槽８０１６の内部には、再生用熱交換器８０２６と吸収用熱交換器８０３６が設けられている。再生用熱交換器８０２６は内部に第１熱媒体が流れる伝熱管であって、内部を流れる第１熱媒体と、外側表面に散布される溶液との間で熱交換を行う。吸収用熱交換器８０３６は内部に水が流れる伝熱管であって、内部を流れる水と、外側表面に散布される溶液との間で熱交換を行う。溶液槽８０１６の底部は、第１溶液流路８０２４を経由して三方弁８０３２のポートａへ接続されている。三方弁８０３２は、３つのポートａ，ｂ，ｃを備えており、コントローラ８３００との間で通信可能である。三方弁８０３２は、コントローラ８３００からの指示に応じて、ポートａとポートｂを連通してポートｃを連通させない状態と、ポートａとポートｃを連通してポートｂを連通させない状態の間で切換る。第１溶液流路８０２４には、ポンプ１０３４が設けられている。
【０１１４】
三方弁８０３２のポートｂには、第２溶液流路８０３０の一端が接続している。第２溶液流路８０３０の他端は、溶液槽８０１６の内部において吸収用熱交換器８０３６の上方で開放している。三方弁８０３２のポートｃには、第３溶液流路８０２８の一端が接続している。第３溶液流路８０２８の他端は、溶液槽８０１６の内部において再生用熱交換器８０２６の上方で開放している。
【０１１５】
溶媒槽８０１８の内部には、蒸発・凝縮用熱交換器８０３８が設けられている。蒸発・凝縮用熱交換器８０３８は内部に第１熱媒体が流れる伝熱管であって、内部を流れる第１熱媒体と、外側表面に接触している溶媒や気化溶媒との間で熱交換を行う。
【０１１６】
四方弁１０５４のポートＡは、流路８０７０を経由して、再生用熱交換器８０２６の一端に接続されている。再生用熱交換器８０２６の他端は、流路８０７２を経由して、四方弁１０５８のポートＣに接続されている。
【０１１７】
四方弁１０６２のポートＣは、流路８１１８を経由して、蒸発・凝縮用熱交換器８０３８の一端に接続されている。蒸発・凝縮用熱交換器８０３８の他端は、流路８０８８を経由して、四方弁１０５０のポートＡに接続されている。四方弁１０６２のポートＡは、流路８０８４を経由して、四方弁１０５０のポートＣに接続されている。
【０１１８】
貯湯槽１０１２の底部には、水道管１２３２を経由して、水道水が供給される。貯湯槽１０１２の頂部から延びる給湯路８２３４は、補助加熱装置１０１４の給湯管１２３８へ接続している。
【０１１９】
貯湯槽１０１２の底部は、水道管１２３２から分岐する流路８２２６を経由して、吸収用熱交換器８０３６の一端に接続されている。流路８２２６には、ポンプ１２２８が設けられている。吸収用熱交換器８０３６の他端は、給湯路８２３４へ合流する流路８２３０を経由して、貯湯槽１０１２の頂部へ接続されている。
【０１２０】
本実施例のシステム８０００は、第１実施例のシステム１０００と同様の運転を行うことができる。以下ではコントローラ８３００によって実行される各種の処理について説明する。
【０１２１】
（１）再生運転
再生運転を開始すると、コントローラ８３００は、図８に示すように、四方弁１０５０、１０５２、１０５４、１０５６、１０５８、１０６２、三方弁８０３２を切換える。これによって、コンプレッサ１０４２から流出する第１熱媒体が、流路１０６６、四方弁１０５２、流路１０６８、四方弁１０５４、流路８０７０、再生用熱交換器８０２６、流路８０７２、四方弁１０５８、流路１０７４、四方弁１０５６、流路１０７６、大気熱交換器１０４４、流路１０７８、膨張弁１０４６、流路１０８０、四方弁１０５６、流路１０８２、四方弁１０６２、流路８１１８、蒸発・凝縮用熱交換器８０３８、流路８０８８、四方弁１０５０、流路１０９４、四方弁１０５２、流路１０９６を順に経由して、コンプレッサ１０４２へ戻る循環路が形成される。また溶液槽８０１６の底部から流路８０２４、三方弁８０３２、流路８０２８を経由して溶液槽８０１６の内部で再生用熱交換器８０２６の上方で開口する流路が形成される。
【０１２２】
コントローラ８３００は、コンプレッサ１０４２を駆動する。またコントローラ８３００は、ポンプ１０３４を駆動し、開閉弁１０２２を開く。さらにコントローラ１３００は、送風機１０４８を駆動する。
【０１２３】
コンプレッサ１０４２が駆動すると、第１熱媒体はコンプレッサ１０４２において圧縮されて、高温高圧となる。コンプレッサ１０４２から流出した第１熱媒体は、再生用熱交換器８０２６へ流入する。一方、溶液槽８０１６内の溶液は、ポンプ１０３４によって汲出されて、第１溶液流路８０２４を経由して、溶液槽８０１６内の上方から再生用熱交換器８０２６へ散布される。再生用熱交換器８０２６の表面に散布された溶液と、再生用熱交換器８０２６内を流れる第１熱媒体との間で熱交換が行われて、第１熱媒体は冷却されて凝縮し、溶液は加熱される。加熱された溶液は沸騰して、気化溶媒と濃縮された溶液に分離される。溶液から分離した気化溶媒は、気化溶媒流路１０２０を経て、溶液槽８０１６内よりも蒸気圧の低い溶媒槽８０１８内へ流入する。濃縮された溶液は、溶液槽８０１６の下部に滴下し、溶液槽８０１６内の溶液と混合する。
【０１２４】
再生用熱交換器８０２６で冷却された第１熱媒体は、大気熱交換器１０４４へ流入し、大気との熱交換によってさらに冷却される。大気熱交換器１０４４で冷却された第１熱媒体は、膨張弁１０４６へ流入して膨張する。膨張弁１０４６で膨張して低温となった第１熱媒体は、溶媒槽８０１８の蒸発・凝縮用熱交換器８０３８へ流入する。
【０１２５】
溶液槽８０１６から気化溶媒流路１０２０を経由して溶媒槽８０１８へ流入した気化溶媒は、蒸発・凝縮用熱交換器８０３８の表面において、蒸発・凝縮用熱交換器８０３８の内部を流れる低温の第１熱媒体との間で熱交換する。気化溶媒は冷却されて凝縮し、蒸発・凝縮用熱交換器８０３８の表面で結露する。結露した液化溶媒は溶媒槽８０１８の下部に滴下し、溶媒槽８０１８の底部に貯められる。蒸発・凝縮用熱交換器８０３８の内部を流れる第１熱媒体は、気化溶媒との温度差によって加熱され、さらに蒸発・凝縮用熱交換器８０３８の表面で生じる気化溶媒の凝縮熱によっても加熱されて、蒸発する。蒸発・凝縮用熱交換器８０３８で蒸発した第１熱媒体は、コンプレッサ１０４２へ還流する。
【０１２６】
上記の再生運転によって、溶液槽８０１６内の溶液から気化溶媒が分離されていき、溶液槽８０１６の溶液は濃縮されていく。一方で、溶媒槽８０１８内に蓄えられている液化溶媒の量は増加していく。再生用熱交換器８０２６で発生する溶媒の蒸発潜熱と蒸発・凝縮用熱交換器８０３８で吸収する溶媒の凝縮潜熱の差分は、コンプレッサ１０４２で与えられるエネルギーとともに、大気熱交換器１０４４で大気に放出される。
【０１２７】
（２）暖房運転
暖房運転を開始すると、コントローラ８３００は、図９に示すように、四方弁１０５０、１０５２、１０５４、１０５６、１０５８、１０６２、１１０４、三方弁１１０６、１１０８、８０３２を切換える。これによって、コンプレッサ１０４２から流出する第１熱媒体が、流路１０６６、四方弁１０５２、流路１０９４、四方弁１０５０、流路８０８８、蒸発・凝縮用熱交換器８０３８、流路８１１８、四方弁１０６２、流路１０８２、四方弁１０５６、流路１０８０、膨張弁１０４６、流路１０７８、大気熱交換器１０４４、流路１０７６、四方弁１０５６、流路１０７４、四方弁１０５８、流路１１２６、四方弁１０５４、流路１０６８、四方弁１０５２、流路１０９６を順に経由して、コンプレッサ１０４２へ戻る循環路が形成される。また、コンプレッサ１１００から流出する第１熱媒体が、流路１１１０、四方弁１１０４、流路１１４６、空気熱交換器１１４２、流路１１４０、流路結合部１１３４、流路１１３８、膨張弁１１０２、流路１１３６、三方弁１１０８、流路１１３０、流路結合部１１２２、流路１１２８、四方弁１０５４、流路８０７０、再生用熱交換器８０２６、流路８０７２、四方弁１０５８、流路１１２４、三方弁１１０６、流路１１１２、四方弁１１０４、流路１１４８を順に経由して、コンプレッサ１１００へ戻る循環路が形成される。また溶液槽８０１６の底部から流路８０２４、三方弁８０３２、流路８０２８を経由して溶液槽８０１６の内部で再生用熱交換器８０２６の上方で開口する流路が形成される。
【０１２８】
コントローラ１３００は、コンプレッサ１０４２、１１００を駆動する。またコントローラは、ポンプ１０３４を駆動し、開閉弁１０２２を開く。さらにコントローラ１３００は、送風機１０４８、１１４４を駆動する。
【０１２９】
コンプレッサ１０４２が駆動すると、第１熱媒体はコンプレッサ１０４２において圧縮されて、高温高圧となる。コンプレッサ１０４２から流出した第１熱媒体は、蒸発・凝縮用熱交換器８０３８へ流入し、溶媒槽８０１８に貯まっている液化溶媒と熱交換する。蒸発・凝縮用熱交換器８０３８における熱交換によって、液化溶媒は加熱されて蒸発し、第１熱媒体は冷却されて凝縮する。液化溶媒との熱交換によって冷却された第１熱媒体は、膨張弁１０４６へ流入して膨張する。膨張弁１０４６で膨張して低温となった第１熱媒体は、大気熱交換器１０４４へ流入し、大気との熱交換によって加熱されて蒸発する。大気熱交換器１０４４で蒸発した第１熱媒体は、コンプレッサ１０４２へ還流する。
【０１３０】
溶媒槽８０１８の蒸発・凝縮用熱交換器８０３８の表面で発生した気化溶媒は、気化溶媒流路１０２０を経由して、溶媒槽８０１８内よりも蒸気圧の低い溶液槽８０１６内へ流入する。
【０１３１】
溶液槽８０１６内の溶液は、ポンプ１０３４によって底部から汲出されて、溶液槽８０１６内で再生用熱交換器８０２６へ上方から散布される。再生用熱交換器８０２６の表面に付着した溶液は、気化溶媒流路１０２０を経由して溶媒槽８０１８から流入する気化溶媒を吸収して、希釈される。この際に発生する吸収熱は、再生用熱交換器８０２６の内部を流れる第１熱媒体によって吸収される。気化溶媒を吸収して希釈された溶液は、溶液槽８０１６の下部へ滴下し、溶液槽８０１６内の溶液と混合する。
【０１３２】
コンプレッサ１１００が駆動すると、第１熱媒体はコンプレッサ１１００において圧縮されて、高温高圧となる。コンプレッサ１１００から流出した第１熱媒体は、空調装置１００８の空気熱交換器１１４２へ流入し、送風機１１４４によって空気熱交換器１１４２の表面に吹きつけられる空気と熱交換する。空気熱交換器１１４２における熱交換によって、空気は加熱されて高温となり、室内を暖める。空気熱交換器１１４２における熱交換によって、第１熱媒体は冷却されて凝縮する。空気熱交換器１１４２から流出した第１熱媒体は、膨張弁１１０２へ流入して膨張する。膨張弁１１０２で膨張して低温となった第１熱媒体は、再生用熱交換器８０２６へ流入する。再生用熱交換器８０２６において、第１熱媒体は加熱されて蒸発する。再生用熱交換器８０２６で蒸発した第１熱媒体は、コンプレッサ１１００へ還流する。
【０１３３】
上記の暖房運転においては、大気熱交換器１０４４で大気から吸収した熱を利用して溶媒槽８０１８の液化溶媒を蒸発させ、溶液槽８０１６で発生する吸収熱を空調装置１００８の熱源として利用する。高いＣＯＰで高温の暖房を実現することができる。
【０１３４】
（３）給湯運転
給湯運転を開始すると、コントローラ８３００は、図１０に示すように、四方弁１０５０、１０５２、１０５４、１０５６、１０５８、１０６２、三方弁８０３２を切換える。これによって、コンプレッサ１０４２から流出する第１熱媒体が、流路１０６６、四方弁１０５２、流路１０９４、四方弁１０５０、流路８０８８、蒸発・凝縮用熱交換器８０３８、流路８１１８、四方弁１０６２、流路１０８２、四方弁１０５６、流路１０８０、膨張弁１０４６、流路１０７８、大気熱交換器１０４４、流路１０７６、四方弁１０５６、流路１０７４、四方弁１０５８、流路１１２６、四方弁１０５４、流路１０６８、四方弁１０５２、流路１０９６を順に経由して、コンプレッサ１０４２へ戻る循環路が形成される。また溶液槽８０１６の底部から流路８０２４、三方弁８０３２、流路８０３０を経由して溶液槽８０１６の内部で吸収用熱交換器８０３６の上方で開口する流路が形成される。
【０１３５】
コントローラ８３００は、コンプレッサ１０４２を駆動する。またコントローラ８３００は、ポンプ１０３４を駆動し、開閉弁１０２２を開く。さらにコントローラ８３００は、送風機１０４８を駆動する。コントローラ８３００は、ポンプ１２２８を駆動する。
【０１３６】
コンプレッサ１０４２が駆動すると、第１熱媒体はコンプレッサ１０４２において圧縮されて、高温高圧となる。コンプレッサ１０４２から流出した第１熱媒体は、蒸発・凝縮用熱交換器８０３８へ流入し、溶媒槽８０１８に貯まっている液化溶媒と熱交換する。蒸発・凝縮用熱交換器８０３８における熱交換によって、液化溶媒は加熱されて蒸発し、第１熱媒体は冷却されて凝縮する。液化溶媒との熱交換によって冷却された第１熱媒体は、膨張弁１０４６へ流入して膨張する。膨張弁１０４６で膨張して低温となった第１熱媒体は、大気熱交換器１０４４へ流入し、大気との熱交換によって加熱されて蒸発する。大気熱交換器１０４４で蒸発した第１熱媒体は、コンプレッサ１０４２へ還流する。
【０１３７】
溶媒槽８０１８の蒸発・凝縮用熱交換器８０３８の表面で発生した気化溶媒は、気化溶媒流路１０２０を経て、溶媒槽８０１８内よりも蒸気圧の低い溶液槽８０１６内へ流入する。
【０１３８】
溶液槽８０１６内の溶液は、ポンプ１０３４によって底部から汲出されて、第１溶液流路８０２４、三方弁８０３２、第２溶液流路８０３０を経由して、溶液槽８０１６の上部から吸収用熱交換器８０３６へ散布される。
【０１３９】
吸収用熱交換器８０３６の表面に付着した溶液は、気化溶媒流路１０２０を経由して溶媒槽８０１８から流入する気化溶媒を吸収して、希釈される。この際に発生する吸収熱は、吸収用熱交換器８０３６の内部を流れる第２熱媒体によって吸収される。気化溶媒を吸収して希釈された溶液は、溶液槽８０１６の底部へ滴下し、溶液槽８０１６の内部の溶液と混合する。
【０１４０】
ポンプ１２２８が駆動すると、貯湯槽１０１２の底部から汲出された水は、流路８２２６を経由して吸収用熱交換器８３０６へ流入し、加熱される。吸収用熱交換器８０３６において加熱された水は、流路８２３０を経由して、貯湯槽１０１２の頂部へ流入する。
【０１４１】
上記の給湯運転においては、大気熱交換器１０４４で大気から吸収される熱を利用して、溶媒槽８０１８の溶媒を蒸発する。溶液槽８０１６の溶液の吸収熱は、貯湯槽１０１２の水の加熱に利用される。このようにして、貯湯槽１０１２の上部に温水が貯えられる。
【０１４２】
本実施例のシステム８０００では、貯湯槽１０１２内の水を吸収用熱交換器８０３６へ直接供給して加熱する。溶液槽８０１６で発生する吸収熱を直接利用して水を加熱するため、熱伝達に伴う損失を低減し、熱の利用効率を高めることができる。
【０１４３】
（４）冷房運転
冷房運転を開始すると、コントローラ８３００は、図１１に示すように、四方弁１０５０、１０５２、１０５４、１０５６、１０５８、１０６２、１１０４、三方弁１１０６、１１０８、８０３２を切換える。これによって、コンプレッサ１０４２から流出する第１熱媒体が、流路１０６６、四方弁１０５２、流路１０９４、四方弁１０５０、流路８０８４、四方弁１０６２、流路１０８２、四方弁１０５６、流路１０７６、大気熱交換器１０４４、流路１０７８、膨張弁１０４６、流路１０８０、四方弁１０５６、流路１０７４、四方弁１０５８、流路８０７２、再生用熱交換器８０２６、流路８０７０、四方弁１０５４、流路１０６８、四方弁１０５２、流路１０９６を順に経由して、コンプレッサ１０４２へ戻る循環路が形成される。また、コンプレッサ１１００から流出する第１熱媒体が、流路１１１０、四方弁１１０４、流路１１１２、三方弁１１０６、流路１１１４、四方弁１０５０、流路８０８８、蒸発・凝縮用熱交換器８０３８、流路８１１８、四方弁１０６２、流路１１２０、流路結合部１１２２、流路１１３０、三方弁１１０８、流路１１３６、膨張弁１１０２、流路１１３８、流路結合部１１３４、流路１１４０、空調装置１００８の空気熱交換器１１４２、流路１１４６、四方弁１１０４、流路１１４８を順に経由して、コンプレッサ１１００へ戻る循環路が形成される。また溶液槽８０１６の底部から流路８０２４、三方弁８０３２、流路８０２８を経由して溶液槽８０１６の内部で再生用熱交換器８０２６の上方で開口する流路が形成される。
【０１４４】
コントローラ８３００は、コンプレッサ１０４２、コンプレッサ１１００を駆動する。またコントローラ８３００は、ポンプ１０３４を駆動し、開閉弁１０２２を開く。さらにコントローラ８３００は、送風機１０４８、送風機１１４４を駆動する。
【０１４５】
コンプレッサ１１００が駆動すると、第１熱媒体はコンプレッサ１１００において圧縮されて高温高圧となる。コンプレッサ１１００から流出した第１熱媒体は、蒸発・凝縮用熱交換器８０３８へ流入し、溶媒槽８０１８に貯まっている液化溶媒と熱交換する。蒸発・凝縮用熱交換器８０３８における熱交換によって、液化溶媒は加熱されて蒸発し、第１熱媒体は冷却されて凝縮する。液化溶媒との熱交換によって冷却された第１熱媒体は、膨張弁１１０２へ流入して膨張する。膨張弁１１０２で膨張して低温となった第１熱媒体は、空調装置１００８の空気熱交換器１１４２へ流入し、送風機１１４４によって空気熱交換器１１４２の表面に吹きつけられる空気と熱交換する。空気熱交換器１１４２における熱交換によって、空気は冷却されて低温となり、室内を冷やす。空気熱交換器１１４２における熱交換によって、第１熱媒体は加熱されて蒸発する。空気熱交換器１１４２から流出した第１熱媒体は、コンプレッサ１１００へ還流する。
【０１４６】
溶液槽８０１６内の溶液は、ポンプ１０３４によって底部から汲出されて、溶液槽８０１６内で再生用熱交換器８０２６へ上方から散布される。再生用熱交換器８０２６の表面に付着した溶液は、気化溶媒流路１０２０を経由して溶媒槽８０１８から流入する気化溶媒を吸収して、希釈される。この際に発生する吸収熱は、再生用熱交換器８０２６の内部を流れる第１熱媒体によって吸収される。気化溶媒を吸収して希釈された溶液は、溶液槽８０１６の下部へ滴下し、溶液槽８０１６内の溶液と混合する。
【０１４７】
コンプレッサ１０４２が駆動すると、第１熱媒体はコンプレッサ１０４２において圧縮されて、高温高圧となる。コンプレッサ１０４２から流出した第１熱媒体は、大気熱交換器１０４４へ流入し、大気との熱交換によって冷却されて凝縮する。大気熱交換器１０４４で凝縮した第１熱媒体は、膨張弁１０４６へ流入して膨張する。膨張弁１０４６で膨張して低温となった第１熱媒体は、再生用熱交換器８０２６へ流入し、加熱されて蒸発する。再生用熱交換器８０２６で蒸発した第１熱媒体は、コンプレッサ１０４２へ還流する。
【０１４８】
上記の冷房運転においては、空調装置１００８における冷房によって第１熱媒体が吸収した熱を利用して、溶媒槽８０１８の液化溶媒を蒸発する。また、溶液槽８０１６の溶液が発生する吸収熱は、大気熱交換器１０４４において大気へ放出される。
【０１４９】
（５）冷房・給湯運転
上記した（４）の冷房運転は、給湯と並行して行うこともできる。
冷房・給湯運転を開始すると、コントローラ８３００は、図１２に示すように、四方弁１０５０、１０６２、三方弁１１０６、１１０８、８０３２を切換える。これによって、コンプレッサ１１００から流出する第１熱媒体が、流路１１１０、四方弁１１０４、流路１１１２、三方弁１１０６、流路１１１４、四方弁１０５０、流路８０８８、蒸発・凝縮用熱交換器８０３８、流路８１１８、四方弁１０６２、流路１１２０、流路結合部１１２２、流路１１３０、三方弁１１０８、流路１１３６、膨張弁１１０２、流路１１３８、流路結合部１１３４、流路１１４０、空調装置１００８の空気熱交換器１１４２、流路１１４６、四方弁１１０４、流路１１４８を順に経由して、コンプレッサ１１００へ戻る循環路が形成される。また溶液槽８０１６の底部から流路８０２４、三方弁８０３２、流路８０３０を経由して溶液槽８０１６の内部で吸収用熱交換器８０３６の上方で開口する流路が形成される。
【０１５０】
コントローラ８３００は、コンプレッサ１１００を駆動する。またコントローラ８３００は、ポンプ１０３４を駆動し、開閉弁１０２２を開く。さらにコントローラ８３００は、送風機１１４４を駆動する。コントローラ８３００はポンプ１２２８を駆動する。
【０１５１】
コンプレッサ１１００が駆動すると、第１熱媒体はコンプレッサ１１００において圧縮されて、高温高圧となる。コンプレッサ１１００から流出した第１熱媒体は、蒸発・凝縮用熱交換器８０３８へ流入し、溶媒槽８０１８に貯まっている液化溶媒と熱交換する。蒸発・凝縮用熱交換器８０３８における熱交換によって、液化溶媒は加熱されて蒸発し、第１熱媒体は冷却されて凝縮する。液化溶媒との熱交換によって冷却された第１熱媒体は、膨張弁１１０２へ流入して膨張する。膨張弁１１０２で膨張して低温となった第１熱媒体は、空気熱交換器１１４２へ流入し、送風機１１４４によって空気熱交換器１１４２の表面に吹きつけられる空気と熱交換する。空気熱交換器１１４２における熱交換によって、空気は冷却されて低温となり、室内を冷やす。空気熱交換器１１４２における熱交換によって、第１熱媒体は加熱されて蒸発する。空気熱交換器１１４２から流出した第１熱媒体は、コンプレッサ１１００へ還流する。
【０１５２】
溶液槽８０１６内の溶液は、ポンプ１０３４によって汲出されて、溶液槽８０１６内の上方から吸収用熱交換器８０３６へ散布される。吸収用熱交換器８０３６の表面に付着した溶液は、気化溶媒流路１０２０を経由して溶媒槽８０１８から流入する気化溶媒を吸収して、希釈される。この際に発生する吸収熱は、吸収用熱交換器８０３６の内部を流れる第２熱媒体によって吸収される。気化溶媒を吸収して希釈された溶液は、溶液槽８０１６の底部へ滴下し、溶液槽８０１６内の溶液と混合する。
【０１５３】
ポンプ１２２８が駆動すると、貯湯槽１０１２の底部から汲出された水は、流路８２２６を経由して吸収用熱交換器８０３６へ流入し、加熱される。吸収用熱交換器８０３６において加熱された水は、流路８２３０を経由して、貯湯槽１０１２の頂部へ流入する。
【０１５４】
上記の冷房・給湯運転においては、空調装置１００８での冷房によって空気から吸収された熱を利用して、溶媒槽８０１８の液化溶媒を蒸発する。溶液槽８０１６で発生する吸収熱は、貯湯槽１０１２の水の加熱に利用される。このような運転は、熱の利用効率が極めて高い。また、溶液槽８０１６で発生する吸収熱を熱源としているため、高温の温水を得ることができる。
【０１５５】
（６）暖房運転（圧縮ＨＰ）
本実施例のシステム８０００では、溶媒槽８０１８内の液化溶媒を使い切ってしまい、それ以上溶液槽８０１６内の溶液を希釈することができずに吸収式ヒートポンプ８００２を利用できない状態になった場合でも、圧縮式ヒートポンプのみを利用して空調装置１００８を用いた暖房または冷房を行うことができる。
【０１５６】
暖房運転（圧縮ＨＰ）を開始すると、コントローラ８３００は、図１３に示すように、四方弁１０５０、１０５４、１０５６、１０５８、１０６２、１１０４、三方弁１１０６、１１０８を切換える。これによって、コンプレッサ１１００から流出する第１熱媒体が、流路１１１０、四方弁１１０４、流路１１４６、空調装置１００８の空気熱交換器１１４２、流路１１４０、流路結合部１１３４、流路１１３２、三方弁１１０８、流路１１３０、流路結合部１１２２、流路１１２８、四方弁１０５４、流路１１２６、四方弁１０５８、流路１０７４、四方弁１０５６、流路１０８０、膨張弁１０４６、流路１０７８、大気熱交換器１０４４、流路１０７６、四方弁１０５６、流路１０８２、四方弁１０６２、流路８０８４、四方弁１０５０、流路１１１４、三方弁１１０６、流路１１１２、四方弁１１０４、流路１１４８を順に経由して、コンプレッサ１１００へ戻る循環路が形成される。
【０１５７】
コントローラ１３００は、コンプレッサ１１００を駆動する。送風機１０４８、送風機１１４４を駆動する。
【０１５８】
コンプレッサ１１００が駆動すると、第１熱媒体はコンプレッサ１１００において圧縮されて、高温高圧となる。コンプレッサ１１００から流出した第１熱媒体は、空気熱交換器１１４２へ流入し、送風機１１４４によって空気熱交換器１１４２の表面に吹きつけられる空気と熱交換する。空気熱交換器１１４２における熱交換によって、第１熱媒体は冷却されて凝縮し、空気は加熱されて高温となる。空調装置１００８は、高温となった空気を利用して室内を暖める。空気熱交換器１１４２において冷却された第１熱媒体は、膨張弁１０４６へ流入して膨張する。膨張弁１０４６で膨張して低温となった第１熱媒体は、大気熱交換器１０４４へ流入し、送風機１０４８によって大気熱交換器１０４４の表面に吹きつけられる大気と熱交換する。大気熱交換器１０４４における熱交換によって、第１熱媒体は加熱されて蒸発し、大気は冷却される。大気熱交換器１０４４で加熱された第１熱媒体は、コンプレッサ１１００へ還流する。
【０１５９】
暖房運転（圧縮ＨＰ）においては、大気熱交換器１０４４で大気から吸収される熱を利用して、空調装置１００８の空気熱交換器１１４２で空気を加熱する。加熱された空気を利用して、室内を暖房することができる。
【０１６０】
本実施例のシステム８０００によれば、溶媒槽８０１８の内部の溶媒を使いきってしまった後も、引き続き暖房運転を行うことができる。
【０１６１】
（７）冷房運転（圧縮ＨＰ）
冷房運転（圧縮ＨＰ）を開始すると、コントローラ８３００は、図１４に示すように、四方弁１０５０、１０５４、１０５６、１０５８、１０６２、１１０４、三方弁１１０６、１１０８を切換える。これによって、コンプレッサ１１００から流出する第１熱媒体が、流路１１１０、四方弁１１０４、流路１１１２、三方弁１１０６、流路１１１４、四方弁１０５０、流路８０８４、四方弁１０６２、流路１０８２、四方弁１０５６、流路１０７６、大気熱交換器１０４４、流路１０７８、膨張弁１０４６、流路１０８０、四方弁１０５６、流路１０７４、四方弁１０５８、流路１１２６、四方弁１０５４、流路１１２８、流路結合部１１２２、流路１１３０、三方弁１１０８、流路１１３２、流路結合部１１３４、流路１１４０、空調装置１００８の空気熱交換器１１４２、流路１１４６、四方弁１１０４、流路１１４８を順に経由して、コンプレッサ１１００へ戻る流路が形成される。
【０１６２】
コントローラ８３００は、コンプレッサ１１００を駆動する。送風機１０４８、送風機１１４４を駆動する。
【０１６３】
コンプレッサ１１００が駆動すると、第１熱媒体はコンプレッサ１１００において圧縮されて、高温高圧となる。コンプレッサ１１００から流出した第１熱媒体は、大気熱交換器１０４４へ流入し、送風機１０４８によって大気熱交換器１０４４の表面に吹きつけられる大気と熱交換する。大気熱交換器１０４４における熱交換によって、第１熱媒体は冷却されて凝縮し、大気は加熱される。大気熱交換器１０４４において冷却された第１熱媒体は、膨張弁１０４６へ流入して膨張する。膨張弁１０４６で膨張して低温となった第１熱媒体は、空気熱交換器１１４２へ流入し、送風機１１４４によって空気熱交換器１１４２の表面に吹きつけられる空気と熱交換する。空気熱交換器１１４２における熱交換によって、第１熱媒体は加熱されて蒸発し、空気は冷却される。空調装置１００８は、冷却された空気を利用して室内を冷やす。空気熱交換器１１４２で加熱された第１熱媒体は、コンプレッサ１１００へ還流する。
【０１６４】
冷房運転（圧縮ＨＰ）においては、空調装置１００８の空気熱交換器１１４２で吸収した熱を、大気熱交換器１０４４で大気へ放出する。空気熱交換器１１４２で冷却された空気を利用して、室内を冷房することができる。
【０１６５】
本実施例のシステム１０００によれば、溶媒槽１０１８の内部の溶媒を使いきってしまった後も、引き続き冷房運転を行うことができる。
【０１６６】
上述のように、本実施例のシステム８０００によれば、四方弁１０５０、１０５２、１０５４、１０５６、１０５８、１０６２、１１０４、三方弁１１０６、１１０８を切換えることによって、再生運転、暖房運転、給湯運転、冷房運転、冷房・給湯運転、暖房運転（圧縮ＨＰ）、冷房運転（圧縮ＨＰ）のいずれかの運転を行うことができる。
【０１６７】
本実施例のシステム８０００では、第１実施例のシステム１０００では別個の装置としていた凝縮用熱交換器１０３８と蒸発用熱交換器１０４０を一体化して、蒸発・凝縮用熱交換器８０３８とすることで、流路１０８６、１０９０、三方弁１０６４を不要として、より簡素な構成のシステムを実現している。
【０１６８】
本実施例のシステム８０００によれば、貯湯槽１０１２内の水を吸収用熱交換器８０３６へ供給して直接加熱することによって、給湯時の加熱効率を向上することができる。
【０１６９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば上記の実施例では、水を冷媒として臭化リチウム水溶液を吸収剤としたヒートポンプシステムについて説明したが、アンモニアを冷媒として水を吸収剤としたヒートポンプシステムとして具現化することもできる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【０１７０】
【図１】システム１０００の再生運転時の状態を示す図である。（第１実施例）
【図２】システム１０００の暖房運転時の状態を示す図である。（第１実施例）
【図３】システム１０００の給湯運転時の状態を示す図である。（第１実施例）
【図４】システム１０００の冷房運転時の状態を示す図である。（第１実施例）
【図５】システム１０００の冷房・給湯運転時の状態を示す図である。（第１実施例）
【図６】システム１０００の暖房運転（圧縮ＨＰ）時の状態を示す図である。（第１実施例）
【図７】システム１０００の冷房運転（圧縮ＨＰ）時の状態を示す図である。（第１実施例）
【図８】システム８０００の再生運転時の状態を示す図である。（第２実施例）
【図９】システム８０００の暖房運転時の状態を示す図である。（第２実施例）
【図１０】システム８０００の給湯運転時の状態を示す図である。（第２実施例）
【図１１】システム８０００の冷房運転時の状態を示す図である。（第２実施例）
【図１２】システム８０００の冷房・給湯運転時の状態を示す図である。（第２実施例）
【図１３】システム８０００の暖房運転（圧縮ＨＰ）時の状態を示す図である。（第２実施例）
【図１４】システム８０００の冷房運転（圧縮ＨＰ）時の状態を示す図である。（第２実施例）
【符号の説明】
【０１７１】
１０００：システム
１００２：吸収式ヒートポンプ
１００４：第１圧縮式ヒートポンプ
１００６：第２圧縮式ヒートポンプ
１００８：空調装置
１０１０：床暖房装置
１０１２：貯湯槽
１０１４：補助加熱装置
１０１６：溶液槽
１０１８：溶媒槽
１０２０：気化溶媒流路
１０２２：開閉弁
１０２４：第１溶液流路
１０２６：再生用熱交換器
１０２８：溶液管
１０３０：冷媒管
１０３２：第２溶液流路
１０３４：ポンプ
１０３６：吸収用熱交換器
１０３８：凝縮用熱交換器
１０４０：蒸発用熱交換器
１０４２：コンプレッサ
１０４４：大気熱交換器
１０４６：膨張弁
１０４８：送風機
１０５０、１０５２、１０５４、１０５６、１０５８、１０６２：四方弁
１０６０：流路結合部
１０６４：三方弁
１０６６、１０６８、１０７０、１０７２、１０７４、１０７６、１０７８、１０８０、１０８２、１０８４、１０８６、１０８８、１０９０、１０９２、１０９４、１０９６、：流路
１１００：コンプレッサ
１１０２：膨張弁
１１０４：四方弁
１１０６、１１０８：三方弁
１１１０、１１１２、１１１４、１１１６、１１１８、１１２０、１１２４、１１２６、１１２８、１１３０、１１３２、１１３６、１１３８、１１４０、１１４６、１１４８：流路
１１２２、１１３４：流路結合部
１１４２：空気熱交換器
１１４４：送風機
１２００、１２０８、１２１２、１２１６、１２２０、１２２２：流路
１２０２：熱交換器
１２０４：冷媒管
１２０６：水管
１２１０：三方弁
１２１４：冷媒管
１２１８：流路結合部
１２２４：ポンプ
１２２６、１２３０：流路
１２２８：ポンプ
１２３２：水道管
１２３４：給湯路
１２３６：バーナ
１２３８：給湯管
１３００：コントローラ
１３０２：リモコン
８０００：システム
８００２：吸収式ヒートポンプ
８００４：第１圧縮式ヒートポンプ
８０１６：溶液槽
８０１８：溶媒槽
８０２４：第１溶液流路
８０２６：再生用熱交換器
８０２８：第３溶液流路
８０３０：第２溶液流路
８０３２：三方弁
８０３６：吸収用熱交換器
８０３８：蒸発・凝縮用熱交換器
８０７０、８０７２、８０８４、８０８８、８１１８：流路
８２２６、８２３０：流路
８２３４：給湯路
８３００：コントローラ
【図１】
0004541289.tif 000002
【図２】
0004541289.tif 000003
【図３】
0004541289.tif 000004
【図４】
0004541289.tif 000005
【図５】
0004541289.tif 000006
【図６】
0004541289.tif 000007
【図７】
0004541289.tif 000008
【図８】
0004541289.tif 000009
【図９】
0004541289.tif 000010
【図１０】
0004541289.tif 000011
【図１１】
0004541289.tif 000012
【図１２】
0004541289.tif 000013
【図１３】
0004541289.tif 000014
【図１４】
0004541289.tif 000015